(57)【特許請求の範囲】
【請求項１】
被写体を撮像して光電変換を行うことにより電子的な画像データを連続的に生成する撮像部と、前記画像データに対応する画像を生成順に表示する表示部と、を備えた撮像装置であって、
前記画像データに対して、複数の画像処理を組み合わせることにより視覚的な効果を生じさせる特殊効果処理を行って処理画像データを生成する画像処理部と、
前記画像処理部が行うべき前記特殊効果処理が複数種類ある場合、前記画像データに対して前記画像処理部に複数種類の前記特殊効果処理を行わせて複数の処理画像データを生成させる画像処理制御部と、
前記画像処理部が実行可能な複数種類の前記特殊効果処理それぞれと視覚情報とを対応付けた画像処理情報を記録する画像処理情報記録部と、
前記画像処理情報記録部が記録する前記視覚情報を参照して、視覚的に異なる順番で前記画像処理部が生成した前記複数の処理画像データに対応する複数の処理画像を前記表示部に表示させる表示制御部と、
を備えたことを特徴とする撮像装置。
【請求項２】
前記画像処理部が行う前記特殊効果処理を指示する指示信号の入力を受け付ける入力部と、
前記入力部によって入力された前記指示信号に応じて前記画像処理部が行うべき前記特殊効果処理を設定する画像処理設定部と、
をさらに備えたことを特徴とする請求項１に記載の撮像装置。
【請求項３】
前記表示制御部は、前記複数の処理画像それぞれを前記表示部の表示画面上を移動させながら前記表示部に表示させることを特徴とする請求項１または２に記載の撮像装置。
【請求項４】
前記表示制御部は、前記表示部が表示している前記処理画像の処理項目名に関する情報を重畳して表示させることを特徴とする請求項１〜３のいずれか一つに記載の撮像装置。
【請求項５】
前記視覚情報は、視覚効果、彩度、コントラストおよびホワイトバランスの１つ以上を含むことを特徴とする請求項１〜４に記載の撮像装置。
【請求項６】
前記表示制御部は、前記複数の処理画像それぞれを縮小した複数の縮小画像を前記表示部に表示させることを特徴とする請求項１〜５のいずれか一つに記載の撮像装置。
【請求項７】
前記特殊効果処理で組み合される画像処理は、ぼかし処理、シェーディング追加処理、ノイズ重畳処理および画像合成処理のいずれかであることを特徴とする請求項１〜６のいずれか一つに記載の撮像装置。
【請求項８】
前記画像処理部は、予め設定された撮影条件に応じた仕上がり効果を生じさせる仕上がり効果処理を行って仕上がり画像データを生成することがさらに可能であり、
前記入力部は、前記特殊効果処理および前記仕上がり効果処理の処理内容を指示する複数の指示信号の入力をさらに受付け可能であり、
前記画像処理設定部は、前記入力部によって入力された前記指示信号に応じて、前記特殊効果処理および前記仕上がり効果処理を設定することを特徴とする請求項２に記載の撮像装置。
【請求項９】
前記入力部は、当該撮像装置に撮影を指示するレリーズ信号の入力を受け付けるレリーズスイッチを有し、
前記表示制御部は、前記レリーズスイッチから前記レリーズ信号の入力を受け付けた場合、前記表示部が表示している前記複数の処理画像を削除することを特徴とする請求項２に記載の撮像装置。
【請求項１０】
被写体を撮像して光電変換を行うことにより電子的な画像データを連続的に生成する撮像部と、前記画像データに対応する画像を生成順に表示する表示部と、を備えた撮像装置に実行させる撮影方法であって、
前記画像データに対して、複数の画像処理を組み合わせることにより視覚的な効果を生じさせる特殊効果処理を行って処理画像データを生成する画像処理ステップと、
前記画像処理ステップで行うべき前記特殊効果処理が複数種類ある場合、１つの前記画像データに対して前記画像処理ステップで複数種類の前記特殊効果処理を行わせて複数の処理画像データを生成させる画像処理制御ステップと、
画像処理ステップにおいて実行可能な複数種類の前記特殊効果処理それぞれと視覚情報とを対応付けた画像処理情報を記録する画像処理情報記録部が記録する前記視覚情報を参照して、視覚的に異なる順番で前記画像処理ステップにおいて生成した前記複数の処理画像データに対応する複数の処理画像を前記表示部に表示させる表示制御ステップと、
を含むことを特徴とする撮像方法。
【請求項１１】
被写体を撮像して光電変換を行うことにより電子的な画像データを連続的に生成する撮像部と、前記画像データに対応する画像を生成順に表示する表示部と、を備えた撮像装置に実行させる撮影プログラムであって、
前記画像データに対して、複数の画像処理を組み合わせることにより視覚的な効果を生じさせる特殊効果処理を行って処理画像データを生成する画像処理ステップと、
前記画像処理ステップで行うべき前記特殊効果処理が複数種類ある場合、１つの前記画像データに対して前記画像処理ステップで複数種類の前記特殊効果処理を行わせて複数の処理画像データを生成させる画像処理制御ステップと、
画像処理ステップにおいて実行可能な複数種類の前記特殊効果処理それぞれと視覚情報とを対応付けた画像処理情報を記録する画像処理情報記録部が記録する前記視覚情報を参照して、視覚的に異なる順番で前記画像処理ステップにおいて生成した前記複数の処理画像データに対応する複数の処理画像を前記表示部に表示させる表示制御ステップと、
を実行させること特徴とする撮影プログラム。
【発明の詳細な説明】
【技術分野】
【０００１】
本発明は、被写体を撮像して光電変換を行うことにより電子的な画像データを生成する撮像装置、撮像方法および撮像プログラムに関する。
【背景技術】
【０００２】
近年、デジタルカメラやデジタルビデオカメラ等の撮像装置では、どのような撮影シーンでも自然な画像を撮影することができる撮影モードや、より鮮やかな画像を撮影することができる撮影モード等の様々な撮影モードを搭載している。これらの撮影モードでは、様々な撮影シーンで自然な画質で撮影されるように、コントラスト、シャープネスおよび彩度等の各種撮影条件が設定されている。
【０００３】
一方、シェーディングまたはノイズを意図的に付加したり、従来の仕上がりの範疇を超えたような彩度またはコントラストに調整することで、従来の画像を超えた印象的な画像を作成することができる特殊効果処理（アートフィルタ）が可能な特殊効果撮影モードを搭載した撮像装置が知られている。たとえば、画像データを輝度成分のデータと色成分のデータとに分離し、この輝度成分のデータに対して光学系の光学特性よりも強調したシェーディングを付加することにより、撮影した画像内にシェーディング効果を生じさせることができる技術が知られている（特許文献１参照）。
【０００４】
また、同時化した画像データに対して、所定の粒状パターンを重畳するとともに、コントラストを補正することにより、撮影した画像内に粒状感を生じさせることができる技術が知られている（特許文献２参照）。
【０００５】
また、撮影時に各種の撮影条件、たとえばホワイトバランス、ＩＳＯ感度および露出値等のパラメータを変更しながら複数の画像データを１回の撮影動作で記録することができるブラケット撮影モードを搭載した撮像装置が知られている（特許文献３参照）。
【先行技術文献】
【特許文献】
【０００６】
【特許文献１】特開２０１０−７４２４４号公報
【特許文献２】特開２０１０−６２８３６号公報
【特許文献３】特開２００２−１４２１４８号公報
【発明の概要】
【発明が解決しようとする課題】
【０００７】
ところで、上述したブラケット撮影モードに複数の特殊効果処理を組み合わせ、１回の撮影動作によって互いに異なる特殊効果処理をそれぞれ施した複数の画像を得ることも可能である。しかしながら、画像に特殊効果処理を施すと、ユーザの予想を遥かに超えた画像が生成される場合がある。このため、ユーザは、撮影前に画像が予想したものとなっているかを判断することが難しかった。
【０００８】
本発明は、上記に鑑みてなされたものであって、撮影前に互いに異なる特殊効果処理が施された画像を確認することができる撮像装置、撮像方法および撮像プログラムを提供することを目的とする。
【課題を解決するための手段】
【０００９】
上述した課題を解決し、目的を達成するために、本発明にかかる撮像装置は、被写体を撮像して光電変換を行うことにより電子的な画像データを連続的に生成する撮像部と、前記画像データに対応する画像を生成順に表示する表示部と、を備えた撮像装置であって、前記画像データに対して、複数の画像処理を組み合わせることにより視覚的な効果を生じさせる特殊効果処理を行って処理画像データを生成する画像処理部と、前記画像処理部が行うべき特殊効果処理が複数種類ある場合、前記画像データに対して前記画像処理部に前記複数種類の特殊効果処理を行わせて複数の処理画像データを生成させる画像処理制御部と、前記画像処理部が生成した前記複数の処理画像データの少なくとも一部に対応する一または複数の処理画像と前記画像データに対応する画像とを前記表示部に一括して表示させる表示制御部と、を備えたことを特徴とする。
【００１０】
また、本発明にかかる撮像装置は、上記発明において、前記画像処理部が行う特殊効果処理を指示する指示信号の入力を受け付ける入力部と、前記入力部によって入力された前記指示信号に応じて前記画像処理部が行うべき特殊効果処理を設定する画像処理設定部と、をさらに備えたことを特徴とする。
【００１１】
また、本発明にかかる撮像装置は、上記発明において、前記画像処理部は、前記画像データに対して、前記画像処理設定部によって設定された複数の前記特殊効果処理のいずれか一つを時系列に沿って行うことで前記処理画像データを連続的に生成し、前記表示制御部は、前記画像処理部が連続的に生成した前記処理画像データに対応する前記処理画像を生成順に沿って前記表示部に表示させることを特徴とする。
【００１２】
また、本発明にかかる撮像装置は、上記発明において、前記表示制御部は、前記複数の処理画像を順次切換えながら前記表示部に表示させることを特徴とする。
【００１３】
また、本発明にかかる撮像装置は、上記発明において、前記表示制御部は、前記複数の処理画像それぞれを前記表示部の表示画面上を移動させながら前記表示部に表示させることを特徴とする。
【００１４】
また、本発明にかかる撮像装置は、上記発明において、前記表示制御部は、前記表示部が表示している処理画像の処理項目名に関する情報を重畳して表示させることを特徴とする。
【００１５】
また、本発明にかかる撮像装置は、上記発明において、前記画像処理部が実行可能な複数の前記特殊効果処理それぞれと視覚情報とを対応付けた画像処理情報を記録する画像処理情報記録部をさらに備え、前記表示制御部は、前記画像処理情報記録部が記録する前記視覚情報を参照して、視覚的に異なる順番で前記複数の処理画像をそれぞれ前記表示部に表示させることを特徴とする。
【００１６】
また、本発明にかかる撮像装置は、上記発明において、前記視覚情報は、視覚効果、彩度、コントラストおよびホワイトバランスの１つ以上を含むことを特徴とする。
【００１７】
また、本発明にかかる撮像装置は、上記発明において、前記表示制御部は、前記複数の処理画像それぞれを縮小した縮小画像を前記表示部に表示させることを特徴とする。
【００１８】
また、本発明にかかる撮像装置は、上記発明において、前記特殊効果処理で組み合される画像処理は、ぼかし処理、シェーディング追加処理、ノイズ重畳処理および画像合成処理のいずれかであることを特徴とする。
【００１９】
また、本発明にかかる撮像装置は、上記発明において、前記画像処理部は、予め設定された撮影条件に応じた仕上がり効果を生じさせる仕上がり効果処理を行って仕上がり画像データを生成することがさらに可能であり、前記入力部は、前記特殊効果処理および前記仕上がり効果処理の処理内容を指示する複数の指示信号の入力をさらに受付け可能であり、前記画像処理設定部は、前記入力部によって入力された前記指示信号に応じて、特殊効果処理および仕上がり効果処理を設定することを特徴とする。
【００２０】
また、本発明にかかる撮像装置は、上記発明において、前記入力部は、当該撮像装置に撮影を指示するレリーズ信号の入力を受け付けるレリーズスイッチを有し、前記表示制御部は、前記レリーズスイッチから前記レリーズ信号の入力を受け付けた場合、前記表示部が表示している前記複数の処理画像を削除することを特徴とする。
【００２１】
また、本発明にかかる撮像方法は、被写体を撮像して光電変換を行うことにより電子的な画像データを連続的に生成する撮像部と、前記画像データに対応する画像を生成順に表示する表示部と、を備えた撮像装置に実行させる撮影方法であって、前記画像データに対して、複数の画像処理を組み合わせることにより視覚的な効果を生じさせる特殊効果処理を行って処理画像データを生成する画像処理ステップと、前記画像処理ステップで行うべき特殊効果処理が複数種類ある場合、１つの前記画像データに対して前記画像処理ステップで前記複数種類の特殊効果処理を行わせて複数の処理画像データを生成させる画像処理制御ステップと、前記画像処理ステップで生成した前記複数の処理画像データの少なくとも一部に対応する一または複数の処理画像と１つの前記画像データに対応する画像とを前記表示部に一括して表示させる表示制御ステップと、を含むことを特徴とする。
【００２２】
また、本発明にかかる撮影プログラムは、被写体を撮像して光電変換を行うことにより電子的な画像データを連続的に生成する撮像部と、前記画像データに対応する画像を生成順に表示する表示部と、を備えた撮像装置に実行させる撮影プログラムであって、前記画像データに対して、複数の画像処理を組み合わせることにより視覚的な効果を生じさせる特殊効果処理を行って処理画像データを生成する画像処理ステップと、前記画像処理ステップで行うべき特殊効果処理が複数種類ある場合、１つの前記画像データに対して前記画像処理ステップで前記複数種類の特殊効果処理を行わせて複数の処理画像データを生成させる画像処理制御ステップと、前記画像処理ステップで生成した前記複数の処理画像データの少なくとも一部に対応する一または複数の処理画像と１つの前記画像データに対応する画像とを前記表示部に一括して表示させる表示制御ステップと、を実行させること特徴とする。
【発明の効果】
【００２３】
本発明によれば、表示制御部が、画像処理制御部によって画像処理部に生成させる複数の画像処理データそれぞれに対応する複数の処理画像とライブビュー画像とを表示部に表示させる。この結果、ユーザは、表示部が表示する画像を見ながら、撮影前に複数の特殊効果処理をそれぞれ施した複数の画像の視覚効果を直感的に把握することができるという効果を奏する。
【図面の簡単な説明】
【００２４】
【図１】図１は、本発明の実施の形態１にかかる撮像装置のユーザに面する側の構成を示す斜視図である。
【図２】図２は、本発明の実施の形態１にかかる撮像装置の構成を示すブロック図である。
【図３】図３は、本発明の実施の形態１にかかる撮像装置が備える画像処理情報記録部が記録する画像処理情報としての画像処理情報テーブルの一例を示す図である。
【図４】図４は、本発明の実施の形態１にかかる撮像装置のメニュースイッチが操作された場合に表示部が表示するメニュー画面における画面遷移の一例を示す図である。
【図５】図５は、本発明の実施の形態１にかかる撮像装置のメニュースイッチが操作された場合に表示部が表示するメニュー画面における画面遷移の別の一例を示す図である。
【図６】図６は、本発明の実施の形態１にかかる撮像装置が行う処理の概要を示すフローチャートである。
【図７】図７は、図６に示したライブビュー画像表示処理の概要を示すフローチャートである。
【図８】図８は、表示制御部が表示部に表示させるライブビュー画像の一例を示す図である。
【図９】図９は、図６に示したレックビュー表示処理の概要を示すフローチャートである。
【図１０】図１０は、画像処理制御部が画像データに対して複数の特殊効果処理および仕上がり効果処理をそれぞれ画像処理部に実行させる際のタイムチャートの概要を示す図である。
【図１１】図１１は、表示制御部が表示部にレックビュー表示させる画像の表示方法を説明する図である。
【図１２】図１２は、本発明の実施の形態１の変形例１にかかる表示制御部が表示部に表示させるライブビュー画像の一例を示す図である。
【図１３】図１３は、本発明の実施の形態１の変形例２にかかる表示制御部が表示部に表示させるライブビュー画像の一例を示す図である。
【図１４】図１４は、本発明の実施の形態１の変形例３にかかる表示制御部が表示部に表示させるライブビュー画像の一例を示す図である。
【図１５】図１５は、本発明の実施の形態２にかかる撮像装置による動作のレックビュー表示処理の概要を示すフローチャートである。
【図１６】図１６は、本発明の実施の形態３にかかるＦｌａｓｈメモリの構成を示すブロック図である。
【図１７】図１７は、本発明の実施の形態３にかかる画像処理情報記録部が記録する視覚情報として画像処理情報テーブルの一例を示す図である。
【図１８】図１８は、本発明の実施の形態３にかかる撮像装置によるライブビュー画像表示処理の概要を示すフローチャートである。
【図１９】図１９は、本発明の実施の形態３にかかる表示制御部が表示部に表示させるライブビュー画像の一例を示す図である。
【図２０】図２０は、本発明の実施の形態３にかかる撮像装置によるレックビュー表示処理の概要を示すフローチャートである。
【図２１】図２１は、本発明の実施の形態３の変形例１にかかる表示制御部が表示部に表示させるライブビュー画像の一例を示す図である。
【図２２】図２２は、本発明の実施の形態４にかかる撮像装置によるレックビュー表示処理の概要を示すフローチャートである。
【図２３】図２３は、図２２に示したピクチャーブラケット表示記録処理の概要を示すフローチャートである。
【発明を実施するための形態】
【００２５】
以下に、図面を参照して、本発明を実施するための形態（以下、「実施の形態」という）について説明する。なお、以下に説明する実施の形態によって本発明が限定されるものではない。さらに、図面の記載において、同一の部分には同一の符号を付している。
【００２６】
（実施の形態１）
図１は、本発明の実施の形態１にかかる撮像装置のユーザに面する側（前面側）の構成を示す斜視図である。図２は、本発明の実施の形態１にかかる撮像装置の構成を示すブロック図である。図１および図２に示す撮像装置１は、本体部２と、本体部２に着脱自在なレンズ部３と、を備える。
【００２７】
本体部２は、シャッタ１０と、シャッタ駆動部１１と、撮像素子１２と、撮像素子駆動部１３と、信号処理部１４と、Ａ／Ｄ変換部１５と、画像処理部１６と、ＡＥ処理部１７と、ＡＦ処理部１８と、画像圧縮展開部１９と、入力部２０と、表示部２１と、表示駆動部２２と、記録媒体２３と、メモリＩ／Ｆ２４と、ＳＤＲＡＭ（Synchronous  Dynamic  Random  Access  Memory）２５と、Ｆｌａｓｈメモリ２６と、本体通信部２７と、バス２８と、制御部２９と、を備える。
【００２８】
シャッタ１０は、撮像素子１２の状態を露光状態または遮光状態に設定する。シャッタ駆動部１１は、ステッピングモータ等を用いて構成され、制御部２９から入力される指示信号に応じてシャッタ１０を駆動する。
【００２９】
撮像素子１２は、レンズ部３が集光した光を受光して電気信号に変換するＣＣＤ（Charge  Coupled  Device）またはＣＭＯＳ（Complementary  Metal  Oxide  Semiconductor）等を用いて構成される。撮像素子駆動部１３は、所定のタイミングで撮像素子１２から画像データ（アナログ信号）を信号処理部１４に出力させる。この意味で、撮像素子駆動部１３は、電子シャッタとして機能する。
【００３０】
信号処理部１４は、撮像素子１２から入力されるアナログ信号に対して、アナログ処理を施してＡ／Ｄ変換部１５に出力する。具体的には、信号処理部１４は、アナログ信号に対して、ノイズ低減処理およびゲインアップ処理等を行う。たとえば、信号処理部１４は、アナログ信号に対して、リセットノイズ等を低減した上で波形整形を行い、さらに目的の明るさとなるようにゲインアップを行う。
【００３１】
Ａ／Ｄ変換部１５は、信号処理部１４から入力されるアナログ信号に対してＡ／Ｄ変換を行うことによってデジタルの画像データを生成し、バス２８を介してＳＤＲＡＭ２５に出力する。
【００３２】
画像処理部１６は、バス２８を介してＳＤＲＡＭ２５から画像データを取得し、取得した画像データ（ＲＡＷデータ）に対して各種の画像処理を行って処理画像データを生成する。この処理画像データは、バス２８を介してＳＤＲＡＭ２５に出力される。画像処理部１６は、基本画像処理部１６１と、特殊効果画像処理部１６２と、を有する。
【００３３】
基本画像処理部１６１は、画像データに対して、少なくとも、オプティカルブラック減算処理、ホワイトバランス調整処理、撮像素子がベイヤー配列の場合には画像データの同時化処理、カラーマトリクス演算処理、γ補正処理、色再現処理およびエッジ強調処理等を含む基本の画像処理を行う。また、基本画像処理部１６１は、予め設定された各画像処理のパラメータに基づいて、自然な画像を再現する仕上がり効果処理を行って仕上がり効果画像データを生成する。ここで、各画像処理のパラメータとは、コントラスト、シャープネス、彩度、ホワイトバランスおよび階調の値である。
【００３４】
特殊効果画像処理部１６２は、画像データに対して複数の画像処理を組み合わせることにより視覚的な効果を生じさせる特殊効果処理を行って処理画像データ（以下、「特殊効果画像データ」という）を生成する。この特殊効果処理の組み合わせとしては、たとえば、トーンカーブ処理、ぼかし処理、シェーディング追加処理、画像合成処理、ノイズ重畳処理、彩度調整処理および画像合成処理のいずれか一つを含む組み合わせである。
【００３５】
ＡＥ処理部１７は、バス２８を介してＳＤＲＡＭ２５に記録された画像データを取得し、取得した画像データに基づいて、静止画撮影または動画撮影を行う際の露出条件を設定する。具体的には、ＡＥ処理部１７は、画像データから輝度を算出し、算出した輝度に基づいて、たとえば絞り値（Ｆ値）の設定値、シャッタ速度等を決定することで撮像装置１の自動露出を行う。
【００３６】
ＡＦ処理部１８は、バス２８を介してＳＤＲＡＭ２５に記録された画像データを取得し、取得した画像データに基づいて、撮像装置１の自動焦点の調整を行う。たとえば、ＡＦ処理部１８は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。
【００３７】
画像圧縮展開部１９は、バス２８を介してＳＤＲＡＭ２５から画像データを取得し、取得した画像データに対して所定の形式に従って圧縮し、この圧縮した画像データをＳＤＲＡＭ２５に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１９は、バス２８およびメモリＩ／Ｆ２４を介して記録媒体２３に記録された画像データ（圧縮画像データ）を取得し、取得した画像データを展開（伸長）してＳＤＲＡＭ２５に出力する。
【００３８】
入力部２０は、撮像装置１の電源状態をオン状態またはオフ状態に切換える電源スイッチ２０１と、静止画撮影の指示を与える静止画レリーズ信号の入力を受け付けるレリーズスイッチ２０２と、撮像装置１に設定された各種撮影モードを切換える撮影モード切換スイッチ２０３と、撮像装置１の各種設定を切換える操作スイッチ２０４と、撮像装置１の各種設定を表示部２１に表示させるメニュースイッチ２０５と、記録媒体２３に記録された画像データに対応する画像を表示部２１に表示させる再生スイッチ２０６と、動画撮影の指示を与える動画レリーズ信号の入力を受け付ける動画スイッチ２０７と、を有する。
【００３９】
レリーズスイッチ２０２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。操作スイッチ２０４は、メニュー画面等における選択設定を行う上下左右の各方向スイッチ２０４ａ〜２０４ｄと、メニュー画面等における各方向スイッチ２０４ａ〜２０４ｄによる操作を決定する決定スイッチ２０４ｅ（ＯＫスイッチ）とを有する（図１を参照）。なお、操作スイッチ２０４は、ダイヤルスイッチ等を用いて構成してもよい。さらに、入力部２０の一部として表示部２１の表示画面条にタッチパネルを設けることによって、ユーザが表示部２１の表示画面上で指示信号の入力を行うことができるようにしてもよい。
【００４０】
表示部２１は、液晶または有機ＥＬ（Electro  Luminescence）等からなる表示パネルを用いて構成される。表示駆動部２２は、バス２８を介してＳＤＲＡＭ２５に記録された画像データまたは記録媒体２３に記録された画像データを取得し、取得した画像データに対応する画像を表示部２１に表示させる。ここで、画像の表示には、撮影直後の画像データを所定時間（たとえば３秒間）だけ表示するレックビュー表示、記録媒体２３に記録された画像データを再生する再生表示、および撮像素子１２が連続的に生成する画像データに対応するライブビュー画像を時系列に沿って順次表示するライブビュー表示等が含まれる。また、表示部２１は、撮像装置１の操作情報および撮影に関する情報を適宜表示する。
【００４１】
記録媒体２３は、撮像装置１の外部から装着されるメモリカード等を用いて構成される。記録媒体２３は、メモリＩ／Ｆ２４を介して撮像装置１に着脱自在に装着される。記録媒体２３には、その種類に応じた図示しない読み書き装置によって画像処理部１６や画像圧縮展開部１９が処理を施した画像データが書き込まれ、または読み書き装置によって記録媒体２３に記録された画像データが読み出される。また、記録媒体２３は、制御部２９の制御のもと、メモリＩ／Ｆ２４およびバス２８を介して撮像プログラムおよび各種情報それぞれをＦｌａｓｈメモリ２６に出力してもよい。
【００４２】
ＳＤＲＡＭ２５は、揮発性メモリを用いて構成される。ＳＤＲＡＭ２５は、バス２８を介してＡ／Ｄ変換部１５から入力される画像データ、画像処理部１６から入力される処理画像データおよび撮像装置１の処理中の情報を一時的に記録する。たとえば、ＳＤＲＡＭ２５は、信号処理部１４、Ａ／Ｄ変換部１５およびバス２８を介して、撮像素子１２が１フレーム毎に順次出力する画像データを一時的に記録する。
【００４３】
Ｆｌａｓｈメモリ２６は、不揮発性メモリを用いて構成される。Ｆｌａｓｈメモリ２６は、プログラム記録部２６１と、特殊効果処理情報記録部２６２と、画像処理情報記録部２６３と、を有する。プログラム記録部２６１は、撮像装置１を動作させるための各種プログラム、撮像プログラムおよびプログラムの実行中に使用される各種データおよび画像処理部１６による画像処理の動作に必要な各種パラメータ等を記録する。特殊効果処理情報記録部２６２は、特殊効果画像処理部１６２が行う各特殊効果処理における画像処理の組み合わせ情報を記録する。画像処理情報記録部２６３は、画像処理部１６が実行可能な画像処理に処理時間を対応付けた画像処理情報を記録する。また、Ｆｌａｓｈメモリ２６は、撮像装置１を特定するための製造番号等を記録する。
【００４４】
ここで、画像処理情報記録部２６３が記録する画像処理情報について説明する。図３は、画像処理情報記録部２６３が記録する画像処理情報としての画像処理情報テーブルの一例を示す図である。
【００４５】
図３に示すように、画像処理情報テーブルＴ１には、画像処理部１６が画像データに対して実行することが可能な仕上がり効果処理および特殊効果処理それぞれに、各画像処理にかかる処理時間が対応付けられて記載されている。たとえば、画像処理部１６に設定された仕上がり効果処理が「Ｎａｔｕｒａｌ」の場合、処理時間として「通常」が記載されている。ここで、通常とは、撮像素子１２が所定のフレームレート（たとえば６０ｆｐｓ）で連続的に生成する画像データに対して、基本画像処理部１６１が遅延なく画像処理を施すことができる処理時間である。これに対して、画像処理部１６に設定された特殊効果処理が「ファンタジックフォーカス」の場合、処理時間として「通常の２倍」が記載されている。
【００４６】
このように、画像処理情報テーブルＴ１には、画像処理部１６が行う各仕上がり効果処理および特殊効果処理それぞれに処理時間が対応付けられて記載されている。
【００４７】
ここで、上述した仕上がり効果処理および特殊効果処理それぞれについて説明する。本実施の形態１では、基本画像処理部１６１は、４つの仕上がり効果処理を行う機能を有する。仕上がり効果処理の処理項目としては、Ｎａｔｕｒａｌ、Ｖｉｖｉｄ、ＦｌａｔおよびＭｏｎｏｔｏｎｅである。特殊効果画像処理部１６２は、５つの特殊効果処理を行う機能を有する。特殊効果処理の処理項目としては、ポップアート、ファンタジックフォーカス、トイフォト、ジオラマ、ラフモノクロームを行う機能を有する。
【００４８】
まず、仕上がり効果処理の処理内容を説明する。
処理項目Ｎａｔｕｒａｌに対応する仕上がり効果処理は、撮影する画像を自然な色合いに仕上げる処理である。
処理項目Ｖｉｖｉｄに対応する仕上がり効果処理は、撮影する画像を色鮮やかに仕上げる処理である。
処理項目Ｆｌａｔに対応する仕上がり効果処理は、撮影する被写体の素材成を重視して仕上げる処理である。
処理項目Ｍｏｎｏｔｏｎｅに対応する仕上がり効果処理は、撮影する画像をモノクロ調に仕上げる処理である。
【００４９】
つぎに、特殊効果処理の処理内容を説明する。
処理項目ポップアートに対応する仕上がり効果処理は、色をカラフルに強調し、明るく楽しい雰囲気に表現する処理である。ポップアートの画像処理の組み合わせとしては、たとえば彩度強調処理およびコントラスト強調処理等である。
処理項目ファンタジックフォーカスに対応する仕上がり効果処理は、柔らかいトーンの中で空気感を表現しつつ、被写体のディティールを残しながら幸福な光に包まれたように美しく幻想的に表現する処理である。ファンタジックフォーカスの画像処理の組み合わせとしては、たとえばトーンカーブ処理、ぼかし処理、アルファブレンド処理および画像合成処理等である。
処理項目トイフォトに対応する仕上がり効果処理は、画像の周辺に対してシェーディング効果を施すことにより、昔らしさや思い出感を表現する処理である。トイフォトの画像処理の組み合わせとしては、たとえばローパスフィルタ処理、ホワイトバランス処理、コントラスト処理、シェーディング処理および色相・彩度処理等である。
処理項目ジオラマに対応する仕上がり効果処理は、画面の周辺に対して極端なぼけ効果を施すことにより、おもちゃらしさや作り物らしさを表現する処理である。ジオラマの画像処理の組み合わせとしては、たとえば色相・彩度処理、コントラスト処理、ぼかし処理および合成処理等である（トイフォト、シェーディングの詳細な内容については、たとえば特開２０１０−７４２４４号公報を参照）。
処理項目ラフモノクロームに対応する仕上がり効果処理は、極端なコントラストとフィルムの粒状のノイズを付加して荒々しさを表現する処理である。ラフモノクロームの画像処理の組み合わせとしては、たとえばエッジ強調処理、レベル補正最適化処理、ノイズパターン重畳処理、合成処理およびコントラスト処理等である（ラフモノクロームの詳細な内容については、たとえば特開２０１０−６２８３６号公報を参照）。
【００５０】
本体通信部２７は、本体部２に装着されたレンズ部３との通信を行うための通信インターフェースである。
【００５１】
バス２８は、撮像装置１の各構成部位を接続する伝送路等を用いて構成される。バス２８は、撮像装置１の内部で発生した各種データを撮像装置１の各構成部位に転送する。
【００５２】
制御部２９は、ＣＰＵ（Central  Processing  Unit）等を用いて構成される。制御部２９は、バス２８を介して、入力部２０からの指示信号またはレリーズ信号に応じて撮像装置１を構成する各部に対応する指示やデータの転送等を行って撮像装置１の動作を統括的に制御する。制御部２９は、セカンドレリーズ信号が入力された場合、撮像装置１における撮影動作を開始する制御を行う。ここで、撮像装置１における撮影動作とは、シャッタ駆動部１１および撮像素子駆動部１３の駆動によって撮像素子１２が出力した画像データに対し、信号処理部１４、Ａ／Ｄ変換部１５および画像処理部１６が所定の処理を施す動作をいう。このように処理が施された画像データは、画像処理制御部２９２の制御のもと、画像圧縮展開部１９で圧縮され、バス２８およびメモリＩ／Ｆ２４を介して記録媒体２３に記録される。
【００５３】
制御部２９の詳細な構成について説明する。制御部２９は、画像処理設定部２９１と、画像処理制御部２９２と、表示制御部２９３と、を有する。
【００５４】
画像処理設定部２９１は、バス２８を介して入力される入力部２０からの指示信号に応じて、画像処理部１６に実行させるべき画像処理の内容を設定する。具体的には、画像処理設定部２９１は、入力部２０からの指示信号に応じて、処理内容が互いに異なる複数の特殊効果処理および仕上がり効果処理を設定する。
【００５５】
画像処理制御部２９２は、画像処理部１６が行うべき特殊効果処理および仕上がり効果処理が複数ある場合、１つの画像データに対して画像処理部１６に複数種類の特殊効果処理および仕上がり効果処理を行わせて複数の処理画像データを生成させる。具体的には、画像処理制御部２９２は、撮像装置１にピクチャーブラケットモードが設定されている場合、画像データに対して、画像処理設定部２９１が画像処理部１６に設定した複数の特殊効果処理をそれぞれ画像処理部１６に実行させて特殊効果画像データを複数生成させてＳＤＲＡＭ２５に記録させる。さらに、画像処理設定部２９２は、セカンドレリーズ信号の入力を受け付けた直後に生成された１つの画像データに対して、画像処理部１６に複数種類の特殊効果処理および仕上がり効果処理を行わせて複数の処理画像データを生成させる。
【００５６】
表示制御部２９３は、表示部２１の表示態様を制御する。具体的には、表示制御部２９３は、表示駆動部２２を駆動し、画像処理制御部２９２が画像処理部１６に生成させた処理画像データに対応するライブビュー画像を表示部２１に表示させる。また、表示制御部２９３は、画像処理制御部２９２が画像処理部１６に生成させる複数の特殊効果画像データの少なくとも一部に対応する一もしくは複数の特殊効果画像またはライブビュー画像を表示部２１に表示させる。たとえば、表示制御部２９３は、特殊効果画像処理部１６２が一つの画像データに対して、互いに処理内容が異なる複数の特殊効果処理をそれぞれ行って生成した複数の特殊効果画像データに対応する複数の特殊効果画像を、表示部２１が時系列に沿って連続的に表示するライブビュー画像に重畳して表示部２１に表示させる。さらに、表示制御部２９３は、特殊効果画像を所定の大きさで縮小した縮小画像（サムネイル画像）を表示部２１に表示させる。さらにまたは、表示制御部２９３は、表示部２１が表示している特殊効果画像の処理名に関する情報、たとえばアイコンや文字を重畳して表示させる。
【００５７】
以上の構成を有する本体部２に対して、音声入出力機能、フラッシュ機能、着脱自在な電子ビューファインダ（ＥＶＦ）、およびインターネットを介してパーソナルコンピュータ等の外部処理装置（図示せず）と双方向に通信可能な通信部等を具備させてもよい。
【００５８】
レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００５９】
光学系３１は、一または複数のレンズを用いて構成される。光学系３１は、所定の視野領域から光を集光する。光学系３１は、画角を変化させる光学ズーム機能および焦点を変化させるフォーカス機能を有する。レンズ駆動部３２は、ＤＣモータまたはステッピングモータ等を用いて構成され、光学系３１のレンズを光軸Ｌ上で移動させることにより、光学系３１のピント位置や画角等の変更を行う。
【００６０】
絞り３３は、光学系３１が集光した光の入射量を制限することにより露出の調整を行う。絞り駆動部３４は、ステッピングモータ等を用いて構成され、絞り３３を駆動する。
【００６１】
レンズ操作部３５は、図１に示すように、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００６２】
レンズＦｌａｓｈメモリ３６は、光学系３１の位置および動きそれぞれを決定するための制御用プログラム、光学系３１のレンズ特性および各種パラメータを記録する。
【００６３】
レンズ通信部３７は、レンズ部３が本体部２に装着されたときに、本体部２の本体通信部２７と通信を行うための通信インターフェースである。
【００６４】
レンズ制御部３８は、ＣＰＵ（Central  Processing  Unit）等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００６５】
以上の構成を有する撮像装置１は、ピクチャーモードおよびピクチャーブラケットモードを有する。ここで、ピクチャーモードとは、仕上がり効果処理および特殊効果処理の中から１つを選択し、選択した処理項目に対応する処理を画像処理部１６に実行させてライブビュー画像または静止画像を生成させるモードである。また、ピクチャーブラケットモードとは、仕上がり効果処理および特殊効果処理の中から所望の組み合わせを選択して画像処理部１６に実行させることで互いに処理が異なる画像を１回の撮影動作によって複数生成させて記録媒体２３に記録させるモードである。以下、撮像装置１で実行されるピクチャーモードおよびピクチャーブラケットモードそれぞれ設定方法について説明する。
【００６６】
まず、ユーザが電源スイッチ２０１を操作することにより、撮像装置１の起動に伴って、表示部２１がライブビュー画像を表示している場合において、ユーザがメニュースイッチ２０５を操作したとき、表示制御部２９３は、メニュー操作画面を表示部２１に表示させる。
【００６７】
図４は、メニュースイッチ２０５が操作された場合において、表示部２１が表示するメニュー画面における画面遷移の一例を示す図であり、ピクチャーモードが設定されるときの画面遷移である。
【００６８】
図４に示すように、表示制御部２９３は、メニュースイッチ２０５が操作された場合、撮像装置１の設定内容を示すメニュー画面Ｗ１（図４（ａ））を表示部２１に表示させる。メニュー画面Ｗ１には、記録形式アイコンＡ１、ピクチャーモードアイコンＡ２およびピクチャーブラケットモードアイコンＡ３等がそれぞれ表示される。なお、メニュー画像Ｗ１が表示された時点では、記録形式アイコンＡ１がデフォルトで選択されており、ハイライト表示（色の変更）されている（図４（ａ））。なお、図４では、ハイライト表示を斜線で表現している。
【００６９】
記録形式アイコンＡ１は、静止画および動画それぞれの記録形式を設定する記録形式メニュー画面を表示部２１に表示させる指示信号の入力を受け付けるアイコンである。ピクチャーモードアイコンＡ２は、ピクチャーモード選択画面を表示部２１に表示させる指示信号の入力を受け付けるアイコンである。ピクチャーブラケットモードアイコンＡ３は、ピクチャーブラケットモード設定画面を表示部２１に表示させる指示信号の入力を受け付けるアイコンである。
【００７０】
表示部２１がメニュー画面Ｗ１を表示している状態で、ユーザが操作スイッチ２０４の上スイッチ２０４ａまたは下ボタン２０４ｂ等を操作することにより、ピクチャーモードアイコンＡ２が選択された場合、表示制御部２９３がピクチャーモードアイコンＡ２を表示部２１にハイライト表示させる（図４（ｂ））。なお、表示制御部２９３は、ユーザが選択したアイコンＡ１〜Ａ３に対して、フォントや大きさを変更して表示部２１に表示させてもよい。
【００７１】
表示部２１がメニュー画面Ｗ１（図４（ｂ））を表示している状態で、ユーザによって操作スイッチ２０４の決定ボタン２０４ｅが操作されることによりアイコンＡ２が選択された場合、表示制御部２９３は、ピクチャーモード設定画像Ｗ２を表示部２１に表示させる（図４（ｃ））。ピクチャーモード設定画面Ｗ２には、仕上がりアイコンＡ２１と、特殊効果アイコンＡ２２とが表示される。なお、表示部２１がピクチャーモード設定画面Ｗ２を表示している状態において、ユーザが操作スイッチ２０４の左スイッチ２０４ｃを操作したとき、表示制御部２９３は、表示部２１にメニュー画面Ｗ１（図４（ｂ））を表示させる。
【００７２】
仕上がりアイコンＡ２１は、仕上がりモード選択画面を表示部２１に表示させる指示信号の入力を受け付けるアイコンである。特殊効果アイコンＡ２２は、特殊効果（アートフィルタ）撮影モード選択画面を表示部２１に表示させる指示信号の入力を受け付けるアイコンである。
【００７３】
表示部２１がピクチャーモード設定画面Ｗ２を表示している状態で、ユーザによって仕上がりアイコンＡ２１が確定された場合、表示制御部２９３は、仕上がりモード選択画面Ｗ３を表示部２１に表示させる（図４（ｄ））。仕上がりモード選択画面Ｗ３には、選択可能な仕上がり効果処理の処理項目に対応するアイコンとしてＮａｔｕｒａｌアイコンＡ３１、ＶｉｖｉｄアイコンＡ３２、ＦｌａｔアイコンＡ３３およびＭｏｎｏｔｏｎｅアイコンＡ３４が表示される。各アイコンＡ３１〜Ａ３４は、基本画像処理部１６１が行う仕上がり効果処理に対応する処理の設定を指示する指示信号の入力を受け付けるアイコンである。なお、図４（ｄ）は、ＶｉｖｉｄアイコンＡ３２が選択されてハイライト表示している状態を示している。
【００７４】
表示部２１が仕上がりモード選択画面Ｗ３を表示している状態で、ユーザによって操作スイッチ２０４の決定ボタン２０４ｅが操作された場合、画像処理設定部２９１は、表示部２１が仕上がりモード選択画面Ｗ３でハイライト表示しているアイコンに対応する仕上がり効果処理（図４（ｄ）の場合ではＶｉｖｉｄ）をピクチャーモードで行う処理として設定する。
【００７５】
また、表示部２１がピクチャーモード設定画面Ｗ２を表示している状態で、ユーザが操作スイッチ２０４を操作して特殊効果アイコンＡ２２を選択した確定した場合、表示制御部２９３は、特殊効果画像処理部１６２が行う特殊効果処理の内容を設定する特殊効果設定画面Ｗ４を表示部２１に表示させる（図４（ｅ））。特殊効果設定画面Ｗ４には、選択可能な特殊効果処理の処理項目に対応するアイコンとしてポップアートアイコンＡ４１、ファンタジックフォーカスアイコンＡ４２、ジオラマアイコンＡ４３、トイフォトアイコンＡ４４およびラフモノクロームアイコンＡ４５が表示される。各アイコンＡ４１〜Ａ４５は、特殊効果画像処理部１６２が行う特殊効果処理の設定を指示する指示信号の入力を受け付けるアイコンである。なお、図４（ｅ）は、ファンタジックフォーカスアイコンＡ４２が選択されてハイライト表示している状態を示している。
【００７６】
表示部２１が特殊効果設定画面Ｗ４を表示している状態で、ユーザによって操作スイッチ２０４の決定ボタン２０４ｅが操作された場合、画像処理設定部２９１は、表示部２１が特殊効果設定画面Ｗ４でハイライト表示しているアイコンに対応する特殊効果処理（図４（ｅ）の場合は、ファンタジックフォーカス）をピクチャーモードで行う処理として設定する。なお、設定された特殊効果処理に関する情報は、ＳＤＲＡＭ２５に記録される。
【００７７】
図５は、メニュースイッチ２０５が操作された場合において、表示部２１が表示するメニュー画面における画面遷移の別の一例を示す図であり、ピクチャーブラケットモードが設定されるときの画面遷移である。
【００７８】
図５（ａ）に示すように、表示部２１がメニュー画面Ｗ１を表示して場合において、ユーザがピクチャーブラケットモードアイコンＡ３を選択したとき、ピクチャーブラケットモードアイコンＡ３がハイライト表示されている。
【００７９】
表示部２１がメニュー画面Ｗ１を表示している状態で、ユーザが操作スイッチ２０４の決定スイッチ２０４ｅを操作した場合、表示制御部２９３は、ピクチャーブラケットモード設定画面Ｗ５を表示部２１に表示させる（図５（ｂ））。ピクチャーブラケットモード設定画面Ｗ５には、ＯＮアイコンＡ５１と、ＯＦＦアイコンＡ５２とが表示される。
【００８０】
ＯＮアイコンＡ５１は、ピクチャーブラケットモードを撮像装置１に設定する指示信号の入力を受け付け、ピクチャーブラケットモードの設定フラグをオン状態にするアイコンである。ＯＦＦアイコンＡ５２は、ピクチャーブラケットモードを撮像装置１に設定しない指示信号の入力を受け付け、ピクチャーブラケットモードの設定フラグをオフ状態にするアイコンである。なお、図５（ｂ）は、ＯＮアイコンＡ５１が選択されてハイライト表示している状態を示している。
【００８１】
表示部２１がピクチャーブラケットモード設定画面Ｗ５を表示している状態で、ユーザが操作スイッチ２０４を操作することにより、ＯＮアイコンＡ５１を選択して確定した場合、表示制御部２９３は、ピクチャーブラケットモード選択画面Ｗ６を表示部２１に表示させる（図５（ｃ））。ピクチャーブラケットモード選択画面Ｗ３６には、ピクチャーブラケットで画像処理部１６が実行可能な処理の処理項目それぞれに対応するアイコンＡ３１〜Ａ３４が表示される。
【００８２】
表示部２１がピクチャーブラケットモード選択画面Ｗ６を表示している状態で、ユーザは、操作スイッチ２０４の決定ボタン２０４ｅまたは下ボタン２０４ｂを操作することにより、ピクチャーブラケットモード選択画面Ｗ６から所定のアイコンを選択してピクチャーブラケットモードで行う処理項目を設定する。この際、表示制御部２９３は、操作スイッチ２０４から入力される操作信号に応じて、ユーザによって選択されたアイコンを表示部２１にアクティブ表示させる。なお、図５（ｃ）は、ＶｉｖｉｄアイコンＡ３２に対応する処理がピクチャーブラケットモードで行う処理として設定済みであり、ＦｌａｔアイコンＡ３３が選択されてアクティブ表示している状態を示している。なお、図５では、アクティブ表示をアイコンの枠を太くして表現している。
【００８３】
表示部２１がピクチャーブラケットモード選択画面Ｗ６を表示している状態で、アクティブ表示されているアイコンがＭｏｎｏｔｏｎｅアイコンＡ３４になって状態でユーザが操作スイッチ２０４の下スイッチ２０４ｂを操作すると、表示制御部２９３は、ピクチャーブラケットモード選択画面Ｗ６をスクロールしてピクチャーブラケットモード選択画面Ｗ７を表示部２１に表示させる（図５（ｄ））。ピクチャーブラケットモード選択画面Ｗ７には、ピクチャーブラケットモードで特殊効果画像処理部１６２に実行可能な複数の特殊効果処理の処理項目それぞれに対応するアイコンＡ４１〜Ａ４５が表示される。具体的には、ポップアートアイコンＡ４１、ファンタジックフォーカスアイコンＡ４２、ジオラマアイコンＡ４３、トイフォトアイコンＡ４４およびラフモノクロームアイコンＡ４５が表示される。
【００８４】
続いて、ユーザは操作スイッチ２０４の左ボタン２０４ｃまたはレリーズスイッチ２０２を操作することにより、ピクチャーブラケットモードの設定を終了させる。
【００８５】
以上の段階を経てピクチャーモードおよびピクチャーブラケットモードが設定された撮像装置１の処理について説明する。図６は、撮像装置１が行う処理の概要を示すフローチャートである。
【００８６】
図６に示すように、まず、ユーザによって電源スイッチ２０１が操作されて、撮像装置１の電源がオンになると、制御部２９は、撮像装置１の初期化を行う（ステップＳ１０１）。具体的には、制御部２９は、動画の記録中を示す記録中フラグをオフ状態にする初期化を行う。この記録中フラグは、動画の撮影中にオン状態になり、動画を撮影していないときにオフ状態となるフラグである。
【００８７】
続いて、再生スイッチ２０６が操作されることなく（ステップＳ１０２：Ｎｏ）、メニュースイッチ２０５が操作された場合（ステップＳ１０３：Ｙｅｓ）、撮像装置１は、上述したメニュー画面Ｗ１（図４を参照）を表示し、ユーザの選択操作に応じて撮像装置１の各種条件を設定する設定処理を実行し（ステップＳ１０４）、ステップＳ１０５へ移行する。
【００８８】
これに対して、再生スイッチ２０６が操作されることなく（ステップＳ１０２：Ｎｏ）、メニュースイッチ２０５が操作されていない場合（ステップＳ１０３：Ｎｏ）、撮像装置１は、ステップＳ１０５へ移行する。
【００８９】
続いて、制御部２９は、動画スイッチ２０７が操作されたか否かを判断する（ステップＳ１０５）。動画スイッチ２０７が操作されたと制御部２９が判断した場合（ステップＳ１０５：Ｙｅｓ）、撮像装置１は、後述するステップＳ１２２へ移行する。一方、動画スイッチ２０７が操作されていないと制御部２９が判断した場合（ステップＳ１０５：Ｎｏ）、撮像装置１は、後述するステップＳ１０６へ移行する。
【００９０】
ステップＳ１０６において、撮像装置１が動画の記録中でない場合（ステップＳ１０６：Ｎｏ）において、レリーズスイッチ２０２からファーストレリーズ信号が入力されたとき（ステップＳ１０７：Ｙｅｓ）、撮像装置１は、後述するステップＳ１１６へ移行する。一方、レリーズスイッチ２０２を介してファーストレリーズ信号が入力されていないとき（ステップＳ１０７：Ｎｏ）、撮像装置１は、後述するステップＳ１０８へ移行する。
【００９１】
ステップＳ１０８において、レリーズスイッチ２０２を介してセカンドレリーズ信号が入力されていない場合（ステップＳ１０８：Ｎｏ）について説明する。この場合、制御部２９は、ＡＥ処理部１７に露出を調整するＡＥ処理を実行させる（ステップＳ１０９）。
【００９２】
続いて、制御部２９は、撮像素子駆動部１３を駆動することによって、電子シャッタによる撮影を行う（ステップＳ１１０）。
【００９３】
その後、撮像装置１は、電子シャッタによる撮影によって撮像素子１２が生成した画像データに対応するライブビュー画像を表示部２１に表示させるライブビュー画像表示処理を実行する（ステップＳ１１１）。なお、ライブビュー画像表示処理の詳細については後述する。
【００９４】
続いて、制御部２９は、電源スイッチ２０１が操作されることにより、撮像装置１の電源がオフされたか否かを判断する（ステップＳ１１２）。撮像装置１の電源がオフされたと制御部２９が判断した場合（ステップＳ１１２：Ｙｅｓ）、撮像装置１は、本処理を終了する。これに対して、撮像装置１の電源がオフされていないと制御部２９が判断した場合（ステップＳ１１２：Ｎｏ）、撮像装置１は、ステップＳ１０２へ戻る。
【００９５】
ステップＳ１０８において、レリーズスイッチ２０２からセカンドレリーズ信号が入力された場合（ステップＳ１０８：Ｙｅｓ）について説明する。この場合、制御部２９は、シャッタ駆動部１１および撮像素子駆動部１３それぞれを駆動することにより、メカシャッタによる撮影を行う（ステップＳ１１３）。
【００９６】
続いて、撮像装置１は、撮影した静止画像を所定時間（たとえば３秒）だけ表示するレックビュー表示処理を実行する（ステップＳ１１４）。なお、レックビュー表示処理の詳細については後述する。
【００９７】
その後、制御部２９は、画像データをＪＥＰＧ形式で画像圧縮展開部１９に圧縮させ、この圧縮した画像データを記録媒体２３に記録する（ステップＳ１１５）。その後、撮像装置１は、ステップＳ１１２へ移行する。なお、制御部２９は、画像圧縮展開部１９がＪＥＰＧ形式で圧縮した画像データに、画像処理部１６が画像処理を行っていないＲＡＷデータを対応付けて記録媒体２３に記録させるようにしてもよい。
【００９８】
ステップＳ１０７において、レリーズスイッチ２０２からファーストレリーズ信号が入力された場合（ステップＳ１０７：Ｙｅｓ）について説明する。この場合制御部２９は、ＡＥ処理部１７に露出を調整するＡＥ処理およびＡＦ処理部１８にピントを調整するＡＦ処理それぞれを実行させる（ステップＳ１１６）。その後、撮像装置１は、ステップＳ１１２へ移行する。
【００９９】
ステップＳ１０６において、撮像装置１が動画の記録中である場合（ステップＳ１０６：Ｙｅｓ）について説明する。この場合、制御部２９は、ＡＥ処理部１７に露出を調整するＡＥ処理を実行させる（ステップＳ１１７）。
【０１００】
続いて、制御部２９は、撮像素子駆動部１３を駆動することにより、電子シャッタによる撮影を実行する（ステップＳ１１８）。
【０１０１】
その後、画像処理制御部２９２は、画像データに対して、ピクチャーモードで設定された処理項目に対応する処理を画像処理部１６に実行させる（ステップＳ１１９）。たとえば、画像処理制御部２９２は、ピクチャーモードで仕上がり処理の処理項目Ｖｉｖｉｄが設定された場合、画像データに対してＶｉｖｉｄに対応する仕上がり処理を基本画像処理部１６１に実行させる。また、画像処理制御部２９２は、ピクチャーモードで特殊効果処理の処理項目ファンタジックフォーカスが設定された場合、画像データに対してファンタジックフォーカスに対応する特殊効果処理を特殊効果画像処理部１６２に実行させる。
【０１０２】
続いて、表示制御部２９３は、画像処理部１６が画像処理を施した画像データに対応するライブビュー画像を表示部２１に表示させる（ステップＳ１２０）。
【０１０３】
その後、制御部２９は、画像データを画像圧縮展開部１９に圧縮させ、この圧縮した画像データを記録媒体２３に作成された動画ファイルに動画として記録させる（ステップＳ１２１）。その後、撮像装置１は、ステップＳ１１２へ移行する。
【０１０４】
ステップＳ１０５において、動画スイッチ２０７が操作された場合（ステップＳ１０５：Ｙｅｓ）について説明する。この場合、制御部２９は、オン状態で動画の記録中であることを示す記録中フラグを反転する（ステップＳ１２２）。
【０１０５】
続いて、制御部２９は、ＳＤＲＡＭ２５に記録された記録中フラグがオン状態であるか否かを判断する（ステップＳ１２３）。記録中フラグがオン状態であると制御部２９が判断した場合（ステップＳ１２３：Ｙｅｓ）、制御部２９は、記録媒体２３に画像データを時系列に沿って記録するための動画ファイルを記録媒体２３に生成し（ステップＳ１２４）、撮像装置１は、ステップＳ１０６へ移行する。一方、記録中フラグがオンでないと制御部２９が判断した場合（ステップＳ１２３：Ｎｏ）、撮像装置１は、ステップＳ１０６へ移行する。
【０１０６】
ステップＳ１０２において、再生スイッチ２０６が操作された場合（ステップＳ１０２：Ｙｅｓ）について説明する。この場合、表示制御部２９３は、バス２８およびメモリＩ／Ｆ２４を介して記録媒体２３から画像データを取得し、取得した画像データを画像圧縮展開部１９で展開して表示部２１に表示させる再生表示処理を行う（ステップＳ１２５）。その後、撮像装置１は、ステップＳ１１２へ移行する。
【０１０７】
つぎに、図６に示したステップＳ１１１のライブビュー画像表示処理について説明する。図７は、図６に示したライブビュー画像表示処理の概要を示すフローチャートである。
【０１０８】
図７に示すように、画像処理部１６は、画像データに対して、画像処理設定部２９１によってピクチャーモードで設定された処理項目に応じた処理を画像データに実行する（ステップＳ２０１）。たとえば、基本画像処理部１６１は、バス２８を介してＳＤＲＡＭ２５から画像データを取得し、取得した画像データに対して画像処理設定部２９１がピクチャーモードで設定した処理項目、たとえばＮａｔｕｒａｌを実行して仕上がり効果画像データを生成する。
【０１０９】
続いて、制御部２９は、ピクチャーブラケットモードの設定フラグがオン状態であるか否かを判断する（ステップＳ２０２）。ピクチャーブラケットモードの設定フラグがオン状態であると制御部２９が判断した場合（ステップＳ２０２：Ｙｅｓ）、撮像装置１は、後述するステップＳ２０３へ移行する。一方、ピクチャーブラケットモードの設定フラグがオン状態でないと制御部２９が判断した場合（ステップＳ２０２：Ｎｏ）、撮像装置１は、後述するステップＳ２０８へ移行する。なお、制御部２９は、ピクチャーモードで設定された以外の処理項目がピクチャーブラケットモードとしては基本画像処理部１６１または特殊効果画像処理部１６２に設定されているか否かを判断することによって、撮像装置１にピクチャーブラケットモードが設定されているか否かを判断してもよい。
【０１１０】
ステップＳ２０３において、制御部２９は、レリーズスイッチ２０２を介してファーストレリーズ信号が入力中であるか否かを判断する（ステップＳ２０３）。具体的には、制御部２９は、ユーザによってレリーズスイッチ２０２が半押しされた状態であるか否かを判断する。ファーストレリーズ信号が入力中であると制御部２９が判断した場合（ステップＳ２０３：Ｙｅｓ）、撮像装置１は、後述するステップＳ２０８へ移行する。一方、ファーストレリーズ信号が入力中でないと制御部２９が判断した場合（ステップＳ２０３：Ｎｏ）、撮像装置１は、後述するステップＳ２０４へ移行する。
【０１１１】
ステップＳ２０４において、画像処理部１６は、バス２８を介してＳＤＲＡＭ２５から画像データを取得し、取得した画像データに対してピクチャーブラケットモードで設定された処理項目に対応する処理を開始する（ステップＳ２０４）。たとえば、画像処理部１６は、ピクチャーブラケットモードで処理項目Ｖｉｖｉｄ、ファンタジックフォーカスおよびトイフォトが設定されている場合、取得した画像データに対してＶｉｖｉｄ、ファンタジックフォーカスおよびトイフォトに対応する処理を順次行う。具体的には、基本画像処理部１６１は、取得した画像データに対して処理項目Ｖｉｖｉｄに対応する処理を施した仕上がり効果画像データを生成する。また、特殊効果画像処理部１６２は、取得した画像データに対して、処理項目ファンタジックフォーカスを行った特殊効果画像データおよび処理項目トイフォトを行った特殊効果画像データをそれぞれ生成する。なお、上述した各処理項目が実行される順序は、予め決められているものとするが、適宜変更してもよい。
【０１１２】
続いて、制御部２９は、画像処理部１６が画像データに対してピクチャーブラケットモードで設定された複数の処理項目を全て完了したか否かを判断する（ステップＳ２０５）。具体的には、制御部２９は、画像処理部１６がピクチャーブラケットモードで設定された複数の処理項目をそれぞれ施した複数の仕上がり効果画像データまたは特殊効果画像データがＳＤＲＡＭ２５に記録されているか否かを判断する。画像処理部１６が画像データに対してピクチャーブラケットモードで設定された複数の処理項目を全て完了していると制御部２９が判断した場合（ステップＳ２０５：Ｙｅｓ）、撮像装置１は、後述するステップＳ２０６へ移行する。一方、画像処理部１６が画像データに対してピクチャーブラケットモードで設定された複数の処理項目を全て完了していないと制御部２９が判断した場合（ステップＳ２０５：Ｎｏ）、撮像装置１は、後述するステップＳ２０７へ移行する。
【０１１３】
ステップＳ２０６において、表示制御部２９３は、ピクチャーモードで設定された処理項目を施した画像データに対応するライブビュー画像に、ピクチャーブラケットモードで設定された複数の処理項目それぞれに応じた複数の画像を合成して表示部２１に表示させる（ステップＳ２０６）。その後、撮像装置１は、図６に示したメインルーチンに戻る。
【０１１４】
図８は、表示制御部２９３が表示部２１に表示させるライブビュー画像の一例を示す図である。なお、図８においては、表示部２１が連続的に表示するライブビュー画像のうち、代表的な一枚の画像を示す。
【０１１５】
図８に示すように、表示制御部２９３は、画像処理部１６がピクチャーモードで設定された処理項目を施した画像データに対応するライブビュー画像Ｗ１００上に、画像処理部１６がピクチャーブラケットモードで設定された複数の処理項目に応じてそれぞれ生成した各画像Ｗ１０１〜Ｗ１０４をサムネイル画像として重畳する。さらに、表示制御部２９３は、表示部２１が表示するライブビュー画像Ｗ１００の処理項目名に関する情報として「Ｎａｔｕｒａｌ」を重畳して表示させる。
【０１１６】
なお、図８の画像Ｗ１０１においては、処理項目Ｖｉｖｉｄを表現するため、被写体の輪郭を太線で表現した。また、画像Ｗ１０２においては、処理項目ファンタジックフォーカスを表現するため、被写体の輪郭を点線で表現した。さらに、画像Ｗ１０３においては、処理項目トイフォトを表現するため、被写体の周囲にシェーディングを施すとともに、被写体の周囲にノイズ（ドット）を付加して表現した。さらにまた、画像Ｗ１０４においては、処理項目ラフモノクロームを表現するため、画像全体にノイズ（ドット）を重畳して表現した。また、図８においては、表示制御部２９３は、各画像Ｗ１０１〜１０４をライブビュー画像Ｗ１００上に表示しているが、画像処理部１６が各処理項目に対応する処理を完了した順に表示部２１に表示させるようにしてもよい。さらに、各画像Ｗ１０１〜Ｗ１０４は、同一の画像データに対して画像処理部１６が各処理項目に対応する処理を行ったものでなくてもよい（非同期）。さらにまた、表示制御部２９３は、各画像Ｗ１０１〜Ｗ１０４の処理項目名に関する情報、たとえば文字やアイコン等を各画像Ｗ１０１〜Ｗ１０４上に重畳して表示してもよい。
【０１１７】
ステップＳ２０５において、画像処理部１６が画像データに対してピクチャーブラケットモードで設定された複数の処理項目を全て完了していないと制御部２９が判断した場合（ステップＳ２０５：Ｎｏ）について説明する。この場合、制御部２９は、画像処理部１６が画像データに対してピクチャーブラケットモードで設定された処理項目に対応する処理であって、処理が完了していない処理項目の中で前回に処理を施した前の画像データがあるか否かを判断する（ステップＳ２０７）。たとえば、制御部２９は、画像データに対して、画像処理部１６がピクチャーブラケットモードで設定された複数の特殊効果処理であって、処理が完了していない特殊効果処理のうち前回に特殊効果処理を施した前の特殊効果画像データがＳＤＲＡＭ２５に記録されているか否かを判断する。前の画像データがあると制御部２９が判断した場合（ステップＳ２０７：Ｙｅｓ）、撮像装置１は、ステップＳ２０６へ移行する。一方、前の画像データがないと制御部２９が判断した場合（ステップＳ２０７：Ｎｏ）、撮像装置１は、後述するステップＳ２０８へ移行する。
【０１１８】
ステップＳ２０８において、表示制御部２９３は、画像処理部１６がピクチャーモードで設定された処理項目に対応する処理を施した画像データに対応するライブビュー画像を表示部２１に表示させる。その後、撮像装置１は、図６に示したメインルーチンへ戻る。
【０１１９】
つぎに、図６のステップＳ１１４のレックビュー表示処理について説明する。図９は、図６で示したレックビュー表示処理の概要を示すフローチャートである。
【０１２０】
図９に示すように、画像処理部１６は、画像データに対して、ピクチャーモードで設定された処理項目に応じた画像処理を行う（ステップＳ３０１）。具体的には、画像処理部１６は、バス２８を介してＳＤＲＡＭ２５から画像データを取得し、取得した画像データに対してピクチャーモードで画像処理設定部２９１によって設定された処理項目に対応する処理を施してＳＤＲＡＭ２５に出力する。
【０１２１】
続いて、表示制御部２９３は、画像処理部１６がピクチャーモードで設定された処理項目に対応する処理を施した画像データに対応する画像を所定時間（たとえば２秒）だけ表示部２１にレックビュー表示させる（ステップＳ３０２）。これにより、ユーザは、撮影した直後の撮影内容を確認することができる。
【０１２２】
その後、制御部２９は、ピクチャーブラケットモードの設定フラグがオン状態であるか否かを判断する（ステップＳ３０３）。ピクチャーブラケットモードの設定フラグがオン状態であると制御部２９が判断した場合（ステップＳ３０３：Ｙｅｓ）、撮像装置１は、後述するステップＳ３０４へ移行する。一方、ピクチャーブラケットモードの設定フラグがオン状態でないと制御部２９が判断した場合（ステップＳ３０３：Ｎｏ）、撮像装置１は、図６に示したメインルーチンに戻る。
【０１２３】
ステップＳ３０４において、画像処理制御部２９２は、Ｆｌａｓｈメモリ２６の画像処理情報記録部２６３が記録する画像処理情報テーブルＴ１を参照して、画像処理の処理時間の長さが交互に異なる順番で、画像処理設定部２９１がピクチャーブラケットモードで設定した複数の処理項目に対応する処理をそれぞれ画像処理部１６に実行させる。
【０１２４】
図１０は、画像処理制御部２９２が画像データに対して複数の特殊効果処理および仕上がり効果処理をそれぞれ画像処理部１６に実行させる際のタイミングチャートを示す図である。なお、図１０においては、画像処理設定部２９１がピクチャーブラケットモードで処理項目Ｎａｔｕｒａｌに対応する仕上がり効果処理を設定するものとし、処理項目処理項目ファンタジックフォーカス、トイフォト、ラフモノクロームおよびジオラマにそれぞれ対応する特殊効果処理を設定する。
【０１２５】
図１０においては、処理項目Ｎａｔｕｒａｌに対応する仕上がり効果処理の処理時間をＴ１、処理項目ファンタジックフォーカスに対応する特殊効果処理の処理時間をＴ２、処理項目トイフォトに対応する特殊効果処理の処理時間をＴ２、処理項目ラフモノクロームに対応する特殊効果処理の処理時間をＴ３、処理項目ジオラマに対応する特殊効果処理の処理時間をＴ４、画像をレックビュー表示する表示時間をＴ５とする。また、各処理項目に対応する処理の処理時間およびレックビュー表示の表示時間の関係式、Ｔ１＜Ｔ２＜Ｔ３＜Ｔ４＜Ｔ５を満たす。
【０１２６】
図１０に示すように、画像処理制御部２９２は、Ｆｌａｓｈメモリ２６の画像処理情報記録部２６３が記録する画像処理情報テーブルＴ１（図３を参照）を参照して、ピクチャーブラケットモードで設定された処理項目に対応する処理を、処理時間の長さに応じて並びかえて画像処理部１６に実行させる。具体的には、画像処理制御部２９２は、図１０に示すように、処理時間が最短の処理項目Ｎａｔｕｒａｌを画像処理部１６に実行させた後、処理時間が２番目に短い処理項目ファンタジクフォーカスを画像処理部１６に実行させる。続いて、画像処理制御部２９２は、処理時間が最も長い処理項目ジオラマを画像処理部１６に実行させた後、処理時間が３番目に短い処理項目トイフォトを画像処理部１６に実行させる。その後、画像処理設定部２９２は、処理項目ラフモノクロームを画像処理部１６に実行させる。
【０１２７】
このように、画像処理制御部２９２は、Ｆｌａｓｈメモリ２６の画像処理情報記録部２６３が記録する画像処理情報テーブルＴ１を参照して、処理時間の長さに応じた順番で画像処理設定部２９１がピクチャーブラケットモードで設定した複数の処理項目に対応する処理をそれぞれ画像処理部１６に実行させる。これにより、画像処理部１６は、表示部２１が画像をレックビュー表示している間に、処理時間が長い処理を行う。この結果、表示制御部２９３は、レックビュー表示する画像を一定の間隔で滑らかに更新することができる。さらに、画像処理制御部２９２は、処理時間の長さが交互に異なる順番で画像処理部１６に実行させるので、処理時間の長さが小さい順に行ったときに処理が終了した画像をＳＤＲＡＭ２５に一時的に記録させなくて済む。このため、画像処理制御部２９３は、処理時間の長さが小さい順に行うときに比して、ＳＤＲＡＭ２５に一時的に記録させる容量を抑えることができる。
【０１２８】
ステップＳ３０４の後、表示制御部２９３は、画像処理部１６が複数の処理項目に対応する処理を施した各々の画像データに対応する画像を、一定のタイミング毎（たとえば２秒毎）に更新させながら表示部２１にレックビュー表示させる（ステップＳ３０５）。
【０１２９】
図１１は、表示制御部２９３が表示部２１にレックビュー表示させる画像の表示方法を説明する図である。
【０１３０】
図１１に示すように、表示制御部２９３は、画像処理部１６が生成した複数の画像を、表示部２１の表示画面上の左から徐々にずらして重ねながら順次表示部２１に表示させる（図１１（ａ）→図１１（ｂ）→図１１（ｃ）→図１１（ｄ））。即ち、ずらさずに重ねても良いが、ずらすことで何枚ブラケットが終わったのかが分かる。さらに、表示制御部２９３は、表示部２１が順次表示する画像に施された処理項目名に関する情報を重畳して表示させる（Ｎａｔｕｒａｌ→ファンタジックフォーカス→トイフォト→ラフモノクローム）。
【０１３１】
これにより、ユーザは、画像データを再生させるごとに、再生スイッチ２０６を操作しなくとも、ピクチャーブラケットモードで設定した処理項目に対応する処理が施された画像を１枚ずつ確認することができる。また、特殊効果処理を施した画像は、ユーザの想定を超えたシェーディング効果やぼかし効果が生じるので、ユーザの想定外になる可能性がある。このため、ユーザは、表示部２１が表示するレックビュー表示で画像を確認することで、再度撮影を行う必要があるのか否かを直ぐに判断することができる。さらに、ユーザは、特殊効果処理の効果と特殊効果処理の処理項目名との関係が明確になるので、短い時間で複数、順不同に特殊効果処理画像が表示された場合であっても、気に入った特殊効果処理または気に入らなかった特殊効果処理を直感的に把握することができる。
【０１３２】
ステップＳ３０５の後、制御部２９は、画像処理部１６が画像データに対してピクチャーブラケットモーで設定された複数の処理項目を全て完了したか否かを判断する（ステップＳ３０６）。具体的には、制御部２９は、画像処理部１６がピクチャーブラケットモードで設定された複数の処理項目をそれぞれ施した複数の仕上がり効果画像データまたは特殊効果画像データがＳＤＲＡＭ２５に記録されているか否かを判断する。画像処理部１６が画像データに対してピクチャーブラケットモードで設定された複数の処理項目を全て完了していると制御部２９が判断した場合（ステップＳ３０６：Ｙｅｓ）、撮像装置１は、図６に示したメインルーチンへ戻る。一方、画像処理部１６が画像データに対してピクチャーブラケットモードで設定された複数の処理項目を全て完了していないと制御部２９が判断した場合（ステップＳ３０６：Ｎｏ）、撮像装置１は、ステップＳ３０４へ戻る。
【０１３３】
以上説明した本発明の実施の形態１によれば、表示制御部２９３が、画像処理制御部２９２によって画像処理部１６に生成させる複数の画像処理データそれぞれに対応する複数の処理画像とライブビュー画像とを表示部２１に表示させる。この結果、ユーザは、表示部２１が表示する画像を見ながら、１回の撮影動作によって複数の特殊効果処理をそれぞれ施した画像を撮影する前に、撮影する画像の視覚効果を直感的に把握することができる。
【０１３４】
さらに、本発明の実施の形態１によれば、表示制御部２９３が、画像処理制御部２９２によって画像処理部１６に生成させる複数の画像処理データそれぞれに対応する複数の処理画像を撮影直後に所定時間だけ表示部２１に表示させる。この結果、ユーザは、表示部２１が表示する画像を見ながら、撮像装置１のモードを再生モードに切換えることなく、１回の撮影動作によって複数の特殊効果処理をそれぞれ施された複数の画像を容易に確認することができる。
【０１３５】
（実施の形態１の変形例１）
上述した実施の形態１において、表示制御部２９３が表示部２１に表示させるライブビュー画像上に、画像処理部１６が生成した複数の特殊効果画像データそれぞれに対応する複数の特殊効果画像を重畳する位置を変更することも可能である。
【０１３６】
図１２は、本発明の実施の形態１の変形例１にかかる表示制御部２９３が表示部２１に表示させるライブビュー画像の一例を示す図である。
【０１３７】
図１２に示すように、表示制御部２９３は、画像処理部１６が生成した各画像Ｗ１０１〜Ｗ１０４を縮小し、ライブビュー画像Ｗ２００上の右領域に縦に並べて表示部２１に表示させてもよい。さらに、表示制御部２９３は、表示部２１が表示するライブビュー画像Ｗ２００の処理項目名に関する情報として「Ｎａｔｕｒａｌ」を重畳して表示させてもよい。さらにまた、表示制御部２９３は、各画像Ｗ１０１〜Ｗ１０４の処理項目名に関する情報、たとえば文字やアイコン等を各画像Ｗ１０１〜Ｗ１０４上に重畳して表示してもよい。
【０１３８】
（実施の形態１の変形例２）
上述した実施の形態１において、表示制御部２９３が表示部２１に表示させるライブビュー画像上に、重畳する複数の特殊効果画像の大きさを互いに異なる大きさ変えることも可能である。
【０１３９】
図１３は、本発明の実施の形態１の変形例２にかかる表示制御部２９３が表示部２１に表示させるライブビュー画像の一例を示す図である。
【０１４０】
図１３に示すように、表示制御部２９３は、画像処理部１６が生成した各画像Ｗ１０１〜Ｗ１０４を、ユーザの使用頻度が高いほど縮小率を小さくしてライブビュー画像Ｗ２１０上に重畳して表示部２１に表示させる。これにより、上述した実施の形態１と同様の効果を奏するとともに、ユーザの使用頻度が高い特殊効果処理をより直感的に把握することができる。さらに、表示制御部２９３は、表示部２１が表示するライブビュー画像Ｗ２１０の処理項目名に関する情報として「Ｎａｔｕｒａｌ」を重畳して表示させてもよい。さらにまた、表示制御部２９３は、各画像Ｗ１０１〜Ｗ１０４の処理項目名に関する情報、たとえば文字やアイコン等を各画像Ｗ１０１〜Ｗ１０４上に重畳して表示してもよい。これにより、ユーザは、特殊効果処理の効果と特殊効果処理の処理項目名との関係が明確になるので、短い時間で複数、順不同に特殊効果処理画像が表示された場合であっても、気に入った特殊効果処理または気に入らなかった特殊効果処理を直感的に把握することができる。
【０１４１】
（実施の形態１の変形例３）
上述した実施の形態１において、表示制御部２９３が表示部２１に表示させるライブビュー画像と、画像処理部１６が生成する複数の特殊効果画像とを合成して表示部２１に表示させることも可能である。
【０１４２】
図１４は、本発明の実施の形態１の変形例３にかかる表示制御部２９３が表示部２１に表示させるライブビュー画像の一例を示す図である。
【０１４３】
図１４に示すように、表示制御部２９３は、画像処理部１６が生成した各画像Ｗ１０１〜Ｗ１０４を、表示部２１の表示画面の右から左に向けて移動（スクロール）させながら表示部２１に表示させるとともに（図１４（ａ）→図１４（ｂ））、ライブビュー画像Ｗ１００を縮小して表示部２１に表示させる。これにより、上述した実施の形態１と同様の効果を奏するとともに、ライブビュー画像Ｗ１００と比較しながら、特殊効果処理または仕上がり効果処理が施された画像を確認することができる。さらに、表示制御部２９３は、表示部２１が表示するライブビュー画像Ｗ１００の処理項目名に関する情報として「Ｎａｔｕｒａｌ」を重畳して表示させてもよい。さらにまた、表示制御部２９３は、各画像Ｗ１０１〜Ｗ１０４の処理項目名に関する情報、たとえば文字やアイコン等を各画像Ｗ１０１〜Ｗ１０４上に重畳して表示してもよい。
【０１４４】
（実施の形態２）
つぎに、本発明の実施の形態２について説明する。本発明の実施の形態２は、上述した実施の形態１にかかる撮像装置１による動作のレックビュー表示処理のみ異なり、撮像装置の構成は上述した実施の形態１にかかる撮像装置と同様の構成を有する。このため、以下においては、本発明の実施の形態２にかかる撮像装置による動作のレックビュー表示処理のみ説明する。
【０１４５】
図１５は、本実施の形態２にかかる撮像装置１が行うレックビュー表示処理（図６のステップＳ１１４）の概要を示すフローチャートである。
【０１４６】
図１５に示すように、撮像装置１にピクチャーブラケットモードの設定フラグがオン状態である場合（ステップＳ４０１：Ｙｅｓ）について説明する。この場合、画像処理制御部２９２は、画像処理情報記録部２６３が記録する画像処理情報テーブルＴ１を参照して、ピクチャーモードおよびピクチャーブラケットモードで設定された複数の処理項目に対応する処理のうち処理時間が最も短い処理を画像処理部１６に実行させる（ステップＳ４０２）。
【０１４７】
続いて、表示制御部２９３は、画像処理部１６が生成した画像データに対応する画像を表示部２１にレックビュー表示させる（ステップＳ４０３）。
【０１４８】
その後、制御部２９は、表示部２１が画像をレックビュー表示してから所定時間（たとえば２秒）経過したか否かを判断する（ステップＳ４０４）。所定時間経過していないと制御部２９が判断した場合（ステップＳ４０４：Ｎｏ）、制御部２９はステップＳ４０４の判断を繰り返す。一方、所定時間経過していると制御部２９が判断した場合（ステップＳ４０４：Ｙｅｓ）、撮像装置１は、後述するステップＳ４０５へ移行する。
【０１４９】
ステップＳ４０５において、画像処理制御部２９２は、画像処理設定部２９１によって画像処理部１６に設定された処理項目に対応する処理をピクチャーブラケットモードで設定されていて、まだ処理されていない処理項目に応じた処理に変更し（ステップＳ４０５）、変更に応じた処理項目に対応する処理を画像処理部１６に実行させる（ステップＳ４０６）。
【０１５０】
続いて、表示制御部２９３は、画像処理部１６が画像処理を施した画像データに対応する画像を表示部２１にレックビュー表示させる（ステップＳ４０７）。
【０１５１】
続いて、制御部２９は、表示部２１が画像をレックビュー表示してから所定時間（たとえば２秒）経過したか否かを判断する（ステップＳ４０８）。所定時間経過していないと制御部２９が判断した場合（ステップＳ４０８：Ｎｏ）、制御部２９はステップＳ４０８の判断を繰り返す。一方、所定時間経過していると制御部２９が判断した場合（ステップＳ４０８：Ｙｅｓ）、制御部２９は、画像処理設定部２９１がピクチャーモードおよびピクチャーブラケットモードで画像処理部１６に設定した複数の処理項目に対応する処理を全て終了したか否かを判断する（ステップＳ４０９）。複数の処理項目に対応する処理を全て終了していないと制御部２９が判断した場合（ステップＳ４０９：Ｎｏ）、撮像装置１は、ステップＳ４０５へ戻る。一方、複数の処理項目に対応する処理を全て終了していると制御部２９が判断した場合（ステップＳ４０９：Ｙｅｓ）、撮像装置１は、図６に示したメインルーチンに戻る。
【０１５２】
つぎに、撮像装置１にピクチャーブラケットモードの設定フラグがオン状態でない場合（ステップＳ４０１：Ｎｏ）について説明する。この場合、画像処理制御部２９２は、画像データに対して、画像処理設定部２９１がピクチャーモードで設定した処理項目に対応する処理を画像処理部１６に実行させる（ステップＳ４１０）。
【０１５３】
続いて、表示制御部２９３は、画像処理部１６が画像処理を施した画像データに対応する画像を表示部２１にレックビュー表示させる（ステップＳ４１１）。その後、撮像装置１は、図６に示したメインルーチンに戻る。
【０１５４】
以上説明した本発明の実施の形態２では、画像処理制御部２９２は、画像処理情報記録部２６３が記録する画像処理情報テーブルＴ１を参照して、画像処理設定部２９１がピクチャーモードおよびピクチャーブラケットモードで画像処理部１６に設定した複数の処理項目に対応する処理のうち処理時間が最も短いものを画像処理部１６に最初に実行させる。これにより、最初に表示部２１がレックビュー表示を行うまでの間隔を短くできる。この結果、ユーザは、撮影した直後に、画像処理が施された画像を表示部２１で確認することができるので、再度、取り直しが必要であるか否かを直ぐに判断することができる。
【０１５５】
（実施の形態３）
つぎに、本発明の実施の形態３について説明する。本発明の実施の形態３にかかる撮像装置は、Ｆｌａｓｈメモリの構成が上述した撮像装置と異なる。さらに、本発明の実施の形態３にかかる撮像装置が行う動作は、ライブビュー表示処理およびレックビュー表示処理それぞれが上述した実施の形態と異なる。このため、以下においては、上述した実施の形態と異なる構成を説明後、本発明の実施の形態３にかかる撮像装置による動作のライブビュー表示処理およびレックビュー表示処理を説明する。なお、図面の記載において、同一の部分には同一の符号を付している。
【０１５６】
図１６は、本発明の実施の形態３にかかる撮像装置１が備えるＦｌａｓｈメモリの構成を示すブロック図である。図１６に示すように、Ｆｌａｓｈメモリ３００は、プログラム記録部２６１と、特殊効果処理情報記録部２６２と、画像処理情報記録部３０１と、を有する。
【０１５７】
画像処理情報記録部３０１は、画像処理部１６が実行可能な複数の特殊効果処理および仕上がり効果処理それぞれに視覚情報が対応付けられた画像処理情報を記録する。
【０１５８】
ここで、画像処理情報記録部３０１が記録する画像処理情報について説明する。図１７は、画像処理情報記録部３０１が記録する画像処理情報テーブルの一例を示す図である。
【０１５９】
図１７に示す画像処理情報テーブルＴ２には、画像処理部１６が画像データに対して実行することが可能な仕上がり効果処理および特殊効果処理がそれぞれ記載されている。さらに、仕上がり効果処理および特殊効果処理それぞれに複数の視覚情報が対応付けて記載されている。たとえば、画像処理部１６に設定された仕上がり効果処理が「Ｎａｔｕｒａｌ」の場合、視覚効果として「なし」、彩度として「中」、コントラストとして「中」、ＷＢ（ホワイトバランス）として「白」がそれぞれ記載されている。また、画像処理部１６に設定された特殊効果処理が「ファンタジックフォーカス」の場合、視覚効果として「ソフトフォーカス」、彩度として「中」、コントラストとして「低」、ＷＢとして「白」がそれぞれ記載されている。ここで、視覚効果とは、ユーザが撮影した画像を見た際に直感的に把握することができる画像処理による効果である。
【０１６０】
このように、画像処理情報テーブルＴ２には、画像処理部１６が実行可能な仕上がり効果処理および特殊効果処理それぞれに視覚情報が対応付けて記載されている。
【０１６１】
つぎに、本実施の形態３にかかる撮像装置１が行うライブビュー画像表示処理について説明する。図１８は、本実施の形態３にかかる撮像装置１が行うライブビュー画像表示処理（図６のステップＳ１１１）の概要を示すフローチャートである。
【０１６２】
図１８に示すように、撮像装置１にピクチャーブラケットモードの設定フラグがオン状態である場合（ステップＳ５０１：Ｙｅｓ）について説明する。この場合、制御部２９は、撮像装置１の撮影動作によって生成された画像データ（１フレーム）が最初の画像データであるか否かを判断する（ステップＳ５０２）。ここで、最初の画像データとは、撮像装置１にピクチャーブラケットモードが設定された直後の電子シャッタによる撮影動作によって生成された画像データである。撮像装置１の撮影動作によって生成された画像データが最初の画像データであると制御部２９が判断した場合（ステップＳ５０２：Ｙｅｓ）、撮像装置１は、後述するステップＳ５０３へ移行する。一方、撮像装置１の撮影動作によって生成された画像データが最初の画像データでないと制御部２９が判断した場合（ステップＳ５０２：Ｎｏ）、撮像装置１は、後述するステップＳ５０４へ移行する。
【０１６３】
ステップＳ５０３において、画像処理設定部２９１は、画像処理情報記録部３０１が記録する画像処理情報テーブルＴ２を参照して、ピクチャーモードおよびピクチャーブラケットモードで設定された複数の処理項目それぞれを画像処理部１６に実行させる各処理項目に対応する処理の順番を設定する（ステップＳ５０３）。具体的には、画像処理設定部２９１は、画像処理情報記録部３１０が記録する画像処理情報テーブルＴ２を参照し、視覚情報における全ての要素が連続しないように処理の順番を設定する。たとえば、ピクチャーモードおよびピクチャーブラケットモードで設定された複数の処理項目が「Ｖｉｖｉｄ」、「ファンタジックフォーカス」、「トイフォト」および「ラフモノクローム」の場合、画像処理設定部２９１は、「ファンタジックフォーカス」および「トイフォト」の彩度が「中」で同じであるため、この２つの処理が連続するのを避け、「Ｖｉｖｉｄ」→「ファンタジックフォーカス」→「ラフモノクローム」→「トイフォト」の順で画像処理部１６に実行させる処理の順番を設定する。
【０１６４】
続いて、画像処理制御部２９２は、画像処理設定部２９１が画像処理部１６に設定した画像処理を画像データに実行させる（ステップＳ５０４）。
【０１６５】
その後、表示制御部２９３は、画像処理部１６が処理を施した画像データに対応するライブビュー画像を表示部２１に表示させる（ステップＳ５０５）。
【０１６６】
図１９は、表示制御部２９３が表示部２１に表示させるライブビュー画像の一例を示す図である。なお、図１９においては、表示部２１が時系列に沿って順次表示するライブビュー画像のうち画像処理部１６によって処理項目に対応する処理が施された代表的な一枚の画像Ｗ２３０〜Ｗ２３４を示す。また、各画像Ｗ２３０〜Ｗ２３４の間には、複数の画像が存在するものとする。また、画像Ｗ２３１〜Ｗ２３４は、上述したＷ１０１〜Ｗ１０４それぞれと同じ処理項目に対応する処理が施されている。
【０１６７】
図１９に示すように、表示制御部２９３は、画像処理設定部２９１によって上記した如く設定された処理の順番に従って、画像処理部１６が処理項目に対応した処理を施した画像データに対応するライブビュー画像を時系列に沿って表示部２１に順次表示させる（図１９（ａ）→図１９（ｂ）→図１９（ｃ）→図１９（ｄ）→図１９（ｅ））。さらに、表示制御部２９３は、表示部２１が順次表示するライブビュー画像に施された処理項目名に関する情報を重畳して表示させる（Ｎａｔｕｒａｌ→ファンタジックフォーカス→トイフォト→ラフモノクローム）。
【０１６８】
このように、ユーザは、表示部２１によって表示されるライブビュー画像が順次切換わることで、ピクチャーブラケットモードで設定した処理項目に対応する処理の効果を直感的に把握することができる。さらに、ユーザは、表示制御部２９３が視覚的に異なる順でライブビュー画像を表示部２１に表示させるので、画像間の効果をより直感的に把握することがきる。さらにまた、ユーザは、特殊効果処理の効果と特殊効果処理の処理項目名との関係が明確になるので、短い時間で複数、順不同に特殊効果処理画像が表示された場合であっても、気に入った特殊効果処理または気に入らなかった特殊効果処理を直感的に把握することができる。
【０１６９】
ステップＳ５０５の後、制御部２９は、表示部２１が表示しているライブビュー画像に対して、画像処理部１６によって行われている画像処理が所定時間経過したか否かを判断する（ステップＳ５０６）。画像処理部１６によって行われている画像処理が所定時間経過していると制御部２９が判断した場合（ステップＳ５０６：Ｙｅｓ）、撮像装置１は、後述するステップＳ５０７へ移行する。一方、画像処理部１６によって行われている画像処理が所定時間経過していないと制御部２９が判断した場合（ステップＳ５０６：Ｎｏ）、撮像装置１は、図６に示したメインルーチンへ戻る。
【０１７０】
ステップＳ５０７において、画像処理設定部２９１は、画像処理部１６に実行させている処理を、ステップＳ５０３で設定した順番に従って変更する。その後、撮像装置１は、図６に示したメインルーチンへ戻る。
【０１７１】
つぎに、撮像装置１にピクチャーブラケットモードの設定フラグがオン状態でない（ステップＳ５０１：Ｎｏ）について説明する。この場合、撮像装置１は、ステップＳ５０８およびステップＳ５０９を実行し、図６に示すメインルーチンへ戻る。なお、ステップＳ５０８およびステップＳ５０９は、図１５で説明したステップＳ４１０およびステップＳ４１１に対応するため説明を省略する。
【０１７２】
つぎに、本実施の形態３にかかる撮像装置１が行うレックビュー表示処理について説明する。図２０は、本実施の形態３にかかる撮像装置１が行うレックビュー表示処理（図６のステップＳ１１４）の概要を示すフローチャートである。
【０１７３】
図２０に示すように、撮像装置１にピクチャーブラケットモードの設定フラグがオン状態である場合（ステップＳ６０１：Ｙｅｓ）について説明する。この場合、画像処理設定部２９１は、画像処理情報記録部３０１が記録する画像処理情報テーブルＴ２を参照して、ピクチャーモードおよびピクチャーブラケットモードで設定された複数の処理項目に対応する処理の順番を設定する（ステップＳ６０２）。具体的には、画像処理設定部２９１は、画像処理情報記録部３１０が記録する画像処理情報テーブルＴ２を参照し、視覚情報における全ての要素が連続しないように処理の順番を設定する。
【０１７４】
続いて、画像処理制御部２９２は、画像データに対して、画像処理設定部２９１によって設定された処理の順番に従って、複数の処理項目に対応する処理をそれぞれ画像処理部１６に実行させる（ステップＳ６０３）。たとえば、画像処理部１６は、処理項目Ｖｉｖｉｄ、ファンタジックフォーカス、ラフモノクロームおよびトイフォトの順番で行う。これにより、撮像装置１は、画像処理部１６によって複数の特殊効果処理および仕上がり効果処理がそれぞれ施された複数の画像データを生成することができる。
【０１７５】
続いて、表示制御部２９３は、画像処理部１６が複数の特殊効果処理または仕上がり効果処理をそれぞれ施した複数の画像データに対応する各画像を所定時間（たとえば２秒）ごとに更新して表示部２１にレックビュー表示させる（ステップＳ６０４）。具体的には、表示制御部２９３は、図１９に示すように、撮影した画像データに対して画像処理部１６が複数の特殊効果処理または仕上がり効果処理をそれぞれ施した複数の画像データに対応する各画像を所定時間ごとに表示部２１にレックビュー表示させる。これにより、ユーザは、撮像装置１を再生モードに設定して撮影した画像の再生表示をその都度行わせなくても、撮影した画像に特殊効果処理または仕上がり効果処理が施された画像をレックビュー表示で確認することができる。
【０１７６】
その後、制御部２９は、画像処理部１６が画像処理設定部２９１によって設定された複数の処理項目に対応する処理を全て終了しているか否かを判断する（ステップＳ６０５）。処理を全て終了していると制御部２９が判断した場合（ステップＳ６０５：Ｙｅｓ）、撮像装置１は、図６に示したメインルーチンへ戻る。一方、処理を全て終了していないと制御部２９は判断した場合（ステップＳ６０５：Ｎｏ）、撮像装置１は、ステップＳ６０４へ戻る。
【０１７７】
つぎに、撮像装置１にピクチャーブラケットモードの設定フラグがオン状態になっていない場合（ステップＳ６０１：Ｎｏ）について説明する。この場合、撮像装置１は、ステップＳ６０６およびステップＳ６０７を実行し、図６に示すメインルーチンへ戻る。なお、ステップＳ６０６およびステップＳ６０７は、図１５で説明したステップＳ４１０およびステップＳ４１１に対応するため説明を省略する。
【０１７８】
以上説明した本発明の実施の形態３によれば、画像処理設定部２９１が画像処理情報記録部３０１によって記録された画像処理情報テーブルＴ２を参照して、ピクチャーモードおよびピクチャーブラケットモードで設定された複数の処理項目に対応する処理をそれぞれ、視覚情報における全ての要素が連続しないように異なる順番で画像処理部１６に設定し、表示制御部２９３が画像処理部１６によって複数の特殊効果処理および仕上がり効果処理がそれぞれ施された複数の画像データに対応する各ライブビュー画像を表示部２１に表示させる。これにより、ユーザは、表示部２１が表示するライブビュー画像を見ながら、ピクチャーモードおよびピクチャーブラケットモードそれぞれで設定した特殊効果処理および仕上がり効果処理の視覚効果の違いを容易に確認しながら撮影することができる。
【０１７９】
また、本発明の実施の形態３によれば、画像処理設定部２９１が画像処理情報記録部３０１によって記録された画像処理情報テーブルＴ２を参照して、ピクチャーモードおよびピクチャーブラケットモードで設定された複数の処理項目に対応する処理をそれぞれ、視覚情報における全ての要素が連続しないように異なる順番で画像処理部１６に設定し、表示制御部２９３が画像処理部１６によって複数の特殊効果処理および仕上がり効果処理がそれぞれ施された複数の画像データに対応する画像処理が完了した順に表示部２１にレックビュー表示させる。これにより、ユーザは、撮像装置１を再生モードに設定して撮影した画像の再生表示を行わせなくても、表示部２１がレックビュー表示する画像を見ながら、ピクチャーモードおよびピクチャーブラケットモードそれぞれで設定した特殊効果処理および仕上がり効果処理の視覚効果の違いを容易に確認することができる。
【０１８０】
（実施の形態３の変形例１）
上述した実施の形態３において、表示制御部２９３が、画像処理部１６によって処理が施された画像データに対応するライブビュー画像の表示方法を変更することも可能である。
【０１８１】
図２１は、本発明の実施の形態３の変形例１にかかる表示制御部２９３が表示部２１に表示させるライブビュー画像の一例を示す図である。なお、図２１では、表示部２１が時系列に沿って順次表示するライブビュー画像のうち、代表的な一枚の画像を示す。
【０１８２】
図２１に示すように、表示制御部２９３は、画像処理部１６によって特殊効果処理おび仕上がり効果処理が施された画像データに対応するライブビュー画像を表示部２１の表示画面を右から左に向けてスクロール（移動）させながら表示部２１に表示させる（図２１（ａ）→図２１（ｂ））。この場合、画像処理部１６は、ピクチャーブラケットモードで設定された処理項目に対応する処理を施した２つの画像データを生成する。これにより、ユーザは、表示部２１が表示するライブビュー画像を見ながら、ピクチャーモードおよびピクチャーブラケットモードそれぞれで設定した特殊効果処理または仕上がり効果処理の視覚効果を比較しながら撮影することができる。さらに、表示制御部２９３は、画像処理部１６によって特殊効果処理または仕上がり効果処理が施された画像データに対応する画像を表示部２１の表示画面を右から左に向けてスクロール（移動）させながら表示部２１に順次レックビュー表示させてもよい。さらにまた、表示制御部２９３は、表示部２１が表示している画像に施された特殊効果処理または仕上がり効果処理の処理項目名を表示させてもよい。
【０１８３】
（実施の形態４）
つぎに、本発明の実施の形態４について説明する。本発明の実施の形態４は、上述した実施の形態１にかかる撮像装置によるレックビュー表示処理のみ異なる、このため、以下においては、本発明の実施の形態４にかかる撮像装置によるレックビュー表示処理のみ説明する。
【０１８４】
図２２は、本発明の実施の形態４にかかる撮像装置が行うレックビュー表示処理（図６のステップＳ１１４）の概要を示すフローチャートである。
【０１８５】
図２２に示すように、画像処理制御部２９２は、画像処理設定部２９１がピクチャーモードで画像処理部１６に設定した処理項目に応じた処理を画像処理部１６に実行させる（ステップＳ７０１）。
【０１８６】
続いて、表示制御部２９３は、画像処理部１６が処理項目に対応した処理を施した画像データに対応する画像を所定時間（たとえば２秒）だけ表示部２１にレックビュー表示させる（ステップＳ７０２）。
【０１８７】
その後、制御部２９は、撮像装置１にピクチャーブラケットモードの設定フラグがオン状態であるか否かを判断する（ステップＳ７０３）。撮像装置１にピクチャーブラケットモードの設定フラグがオン状態であると制御部２９が判断した場合（ステップＳ７０３：Ｙｅｓ）、撮像装置１は、画像処理設定部２９１がピクチャーブラケットモードで画像処理部１６に設定した複数の処理項目に対応する処理をそれぞれ施した複数の画像データに対応する各画像を、表示部２１が表示するライブビュー画像上にレックビュー表示させるピクチャーブラケット表示記録処理を実行する（ステップＳ７０４）。なお、ピクチャーブラケット表示記録処理の詳細は後述する。ステップＳ７０４の後、撮像装置１は、図６に示したメインルーチンへ戻る。
【０１８８】
ステップＳ７０３において、撮像装置１にピクチャーブラケットモードの設定フラグがオン状態でない場合（ステップＳ７０３：Ｎｏ）について説明する。この場合、撮像装置１は、図６に示したメインルーチンへ戻る。
【０１８９】
つぎに、図２２に示したステップＳ７０４のピクチャーブラケット表示記録処理について説明する。図２３は、ピクチャーブラケット表示記録処理の概要を示すフローチャートである。
【０１９０】
図２３に示すように、画像処理設定部２９１は、ピクチャーブラケットモードで設定された処理項目に対応する処理を画像処理部１６に設定する（ステップＳ８０１）。
【０１９１】
続いて、画像処理制御部２９２は、画像データに対して、画像処理設定部２９１によって設定された処理項目に対応する処理を画像処理部１６に実行させる（ステップＳ８０２）。
【０１９２】
その後、表示制御部２９３は、画像処理部１６が特殊効果処理または仕上がり効果処理を施した画像データに対応する画像を所定の倍率で縮小（リサイズ）し、この縮小した画像をアイコンとして表示部２１が表示するライブビュー画像上に重畳して表示させる（ステップＳ８０３）。具体的には、表示制御部２９３は、図８と同様の処理が行われた画像を表示部２１に表示させる。なお、表示制御部２９３は、表示部２１がライブビュー画像上に、ピクチャーブラケットモードで設定された複数の画像処理を施した複数の画像データに対応する画像を縮小した縮小画像を表示している場合、この縮小画像に換えてアイコンを表示部２１に表示させてもよい。
【０１９３】
続いて、画像処理制御部２９２は、画像処理部１６が処理項目に対応する処理を施した画像データをＳＤＲＡＭ２５に記録させる（ステップＳ８０４）。
【０１９４】
その後、制御部２９は、画像処理部１６が画像処理設定部２９１によって設定された処理を全て終了しているか否かを判断する（ステップＳ８０５）。画像処理設定部２９１によって設定された処理を全て終了していると制御部２９が判断した場合（ステップＳ８０５：Ｙｅｓ）、撮像装置１は、後述するステップＳ８０６へ移行する。一方、画像処理設定部２９１によって設定された処理を全て終了していないと制御部２９が判断した場合（ステップＳ８０５：Ｎｏ）、撮像装置１は、後述するステップＳ８０８へ移行する。
【０１９５】
ステップＳ８０６において、制御部２９は、表示部２１が表示するライブビュー画像上に、各アイコンを重畳して表示してから所定時間（たとえば３秒）経過したか否かを判断する（ステップＳ８０６）。所定時間経過していないと制御部２９が判断した場合（ステップＳ８０６：Ｎｏ）、制御部２９は、ステップＳ８０６の判断を繰り返す。一方、所定時間経過したと制御部２９が判断した場合（ステップＳ８０６：Ｙｅｓ）、撮像装置１は、ステップＳ８０７へ移行する。
【０１９６】
続いて、表示制御部２９３は、表示部２１が表示するライブビュー画像上に重畳して表示しているアイコンを全て消去し（ステップＳ８０７）、撮像装置１は、図６に示したメインルーチンへ戻る。
【０１９７】
ステップＳ８０５において、画像処理設定部２９１によって設定された処理を全て終了していないと制御部２９が判断した場合（ステップＳ８０５：Ｎｏ）について説明する。この場合画像処理設定部２９１は、画像処理部１６に実行させている処理を、ピクチャーブラケットモードで設定されていて、まだ処理されていない処理項目に応じて変更し（ステップＳ８０８）、撮像装置１は、ステップＳ８０２へ戻る。
【０１９８】
以上説明した本発明の実施の形態４によれば、表示制御部２９３が、画像処理部１６によって特殊効果処理または仕上がり効果処理を施した画像データに対応する画像を所定の倍率で縮小し、この縮小した画像をアイコンとして表示部２１が表示するライブビュー画像上に重畳して表示させる。これにより、表示制御部２９３は、表示部２１にライブビュー画像を表示させることができる。この結果、ユーザは、処理が施された画像を確認しながら撮影する画角や構図を調整することができる。
【０１９９】
さらに、本発明の実施の形態４によれば、撮像装置１を再生モードに設定して撮影した画像の再生表示を行わせなくても、表示部２１によって表示されるライブビュー画像上のアイコンを見ながら、ピクチャーモードおよびピクチャーブラケットモードそれぞれで設定した処理項目に対応する処理の視覚効果を確認することができる。この結果、ユーザは、再度撮影が必要か否かを直ぐに判断することができる。
【０２００】
（その他の実施の形態）
上述した実施の形態では、インターネットを介してパーソナルコンピュータやサーバ等の外部処理装置に接続することによって、プログラム記録部、特殊効果処理情報記録部、画像処理情報記録部に記録された各種情報の更新または書き換えを行ってもよい。これにより、撮像装置は、新たに追加された撮影モード、特殊効果処理および仕上がり効果処理を組み合わせて撮影を行うことができる。
【０２０１】
また、上述した実施の形態では、特殊効果処理の種類は、上述した内容に限定されず、たとえば、アート、ボール、カラーマスク、キューブ、ミラー、モザイク、セピア、白黒、ウェーブ、ボール枠、風船、ラフモノクローム、ジェントルセピア、ロック、油絵、水彩画およびスケッチ等を追加することも可能である。
【０２０２】
また、上述した実施の形態では、撮像装置が画像処理部を１つ備えていたが、画像処理部の数は限定されず、たとえば画像処理部を２つであってもよい。
【０２０３】
また、上述した実施の形態では、撮影モード切換スイッチやレンズ操作部の操作に応じて画像処理設定部２９１が画像処理部１６に設定した特殊効果処理を解除または変更を行ってもよい。
【０２０４】
また、上述した実施の形態では、表示部が表示するライブビュー画像の表示について説明したが、たとえば本体部２に着脱自在な外部電子ビューファインダにおいても本発明を適用することができる。
【０２０５】
また、上述した実施の形態では、表示部が表示するライブビュー画像の表示について説明したが、たとえば表示部とは別に電子ビューファインダを本体部２に設け、この電子ビューファインダにおいて本発明を適用するようにしてもよい。
【０２０６】
また、上述した実施の形態では、レンズ部が本体部に着脱自在であったが、レンズ部と本体部とが一体的に形成されていてもよい。
【０２０７】
また、上述した実施の形態では、撮像装置をデジタル一眼デジタルカメラとして説明していたが、たとえば、デジタルビデオカメラ、カメラ付き携帯電話やパーソナルコンピュータ等の撮影機能を備えた各種電子機器に適用することができる。
【符号の説明】
【０２０８】
１              撮像装置
２              本体部
３              レンズ部
１０            シャッタ
１１            シャッタ駆動部
１２            撮像素子
１３            撮像素子駆動部
１４            信号処理部
１５            Ａ／Ｄ変換部
１６            画像処理部
１７            ＡＥ処理部
１８            ＡＦ処理部
１９            画像圧縮展開部
２０            入力部
２１            表示部
２２            表示駆動部
２３            記録媒体
２４            メモリＩ／Ｆ
２５            ＳＤＲＡＭ
２６，３００    Ｆｌａｓｈメモリ
２７            本体通信部
２８            バス
２９            制御部
３１            光学系
３２            レンズ駆動部
３３            絞り
３４            絞り駆動部
３５            レンズ操作部
３６            レンズＦｌａｓｈメモリ
３７            レンズ通信部
３８            レンズ制御部
１６１          基本画像処理部
１６２          特殊効果画像処理部
２０１          電源スイッチ
２０２          レリーズスイッチ
２０３          撮影モード切換スイッチ
２０４          操作スイッチ
２０５          メニュースイッチ
２０６          再生スイッチ
２０７          動画スイッチ
２６１          プログラム記録部
２６２          特殊効果処理情報記録部
２６３，３０１  画像処理情報記録部
２９１          画像処理設定部
２９２          画像処理制御部
２９３          表示制御部
【図１】
0005806512.tif 000002
【図２】
0005806512.tif 000003
【図３】
0005806512.tif 000004
【図４】
0005806512.tif 000005
【図５】
0005806512.tif 000006
【図６】
0005806512.tif 000007
【図７】
0005806512.tif 000008
【図８】
0005806512.tif 000009
【図９】
0005806512.tif 000010
【図１０】
0005806512.tif 000011
【図１１】
0005806512.tif 000012
【図１２】
0005806512.tif 000013
【図１３】
0005806512.tif 000014
【図１４】
0005806512.tif 000015
【図１５】
0005806512.tif 000016
【図１６】
0005806512.tif 000017
【図１７】
0005806512.tif 000018
【図１８】
0005806512.tif 000019
【図１９】
0005806512.tif 000020
【図２０】
0005806512.tif 000021
【図２１】
0005806512.tif 000022
【図２２】
0005806512.tif 000023
【図２３】
0005806512.tif 000024